(57)【要約】本発明は、非同期移動通信システムにおけるダウンリンク共有チャネル（ＤＳＣＨ）の送信電力制御に関し、特に、ハンドオフ領域におけるＵＥに対してＤＳＣＨの送信電力を制御するための装置及び方法に関する。前記ＤＳＣＨ伝送電力制御方法において、ＵＥ４１１は、自分に前記ＤＳＣＨを伝送するノードＢからＣＰＩＣＨの受信電力によって決定されたチャネル状況に基づいて前記ＤＳＣＨの送信電力を制御する情報を生成し、前記電力制御情報を前記ノードＢに伝送する。
2004511176.tif 000002
【特許請求の範囲】
【請求項１】
複数のノードＢ及びノードＢのセル領域のうち重畳された領域として定義されるソフトハンドオーバー（ＳＨＯ）領域に存在する端末（Ｕｓｅｒ Ｅｑｕｉｐｍｅｎｔ： ＵＥ）を有し、前記ＵＥにダウンリンク共有チャネル（ｄｏｗｎｌｉｎｋ ｓｈａｒｅ ｃｈａｎｎｅｌ： ＤＳＣＨ）を通してデータを伝送すると共にダウンリンク専用チャネル（ｄｏｗｎｌｉｎｋ ｄｅｄｉｃａｔｅｄ ｃｈａｎｎｅｌ： ＤＬ＿ＤＣＨ）を通してＴＰＣ（Ｔｒａｎｓｍｉｔ Ｐｏｗｅｒ Ｃｏｎｔｒｏｌ： ＴＰＣ）を伝送する第１ノードＢ、及び前記ＵＥにＤＬ＿ＤＣＨを通してＴＰＣを伝送するその他のノードＢを有する移動通信システムで、前記ＤＳＣＨの送信電力を制御する方法において、
前記第１ノードＢから受信された共通パイロットチャネル（ｃｏｍｍｏｎ ｐｉｌｏｔ ｃｈａｎｎｅｌ： ＣＰＩＣＨ）の電力によって決定されるチャネル状況に基づいて前記ＤＳＣＨの送信電力を制御するためのＤＳＣＨ電力制御情報を生成する過程と、
前記生成されたＤＳＣＨ電力制御情報を前記第１ノードＢに伝送する過程と、からなることを特徴とする方法。
【請求項２】
前記ＤＳＣＨ電力制御情報は、相対的な電力オフセットの更新時点に生成されることを特徴とする請求項１記載の方法。
【請求項３】
前記相対的なパワーオフセットは、前記第１ノードＢから受信されたＣＰＩＣＨ信号の強度とその他のノードＢから受信された最も大きいＣＰＩＣＨ信号の強度との差を利用して測定された経路差に基づいて決定されることを特徴とする請求項２記載の方法。
【請求項４】
前記ＣＰＩＣＨ信号の強度の差は、前記経路差を検査するために、それぞれの計算の時に貯蔵されることを特徴とする請求項３記載の方法。
【請求項５】
前記ＤＳＣＨ電力制御情報は、アップリンク専用物理制御チャネル（ｕｐｌｉｎｋ ｄｅｄｉｃａｔｅｄ ｐｈｙｓｉｃａｌ ｃｏｎｔｒｏｌ ｃｈａｎｎｅｌ： ＵＬ＿ＤＰＣＣＨ）のフィードバック情報（ＦＢＩ）フィールドを通して伝送されることを特徴とする請求項１記載の方法。
【請求項６】
次に受信されるＤＳＣＨフレームが存在しない場合、以前に受信されたＤＳＣＨフレームを利用して次のフレームの電力制御命令を生成する過程をさらに備えることを特徴とする請求項１記載の方法。
【請求項７】
前記次に受信されるＤＳＣＨフレームが存在する場合、ＵＬ＿ＤＰＣＣＨを通して電力制御情報の送信時点に前記ＤＳＣＨ電力制御情報を送信することを特徴とする請求項６記載の方法。
【請求項８】
前記ＤＳＣＨ電力制御情報は、ＦＢＩフィールドによって送信されることを特徴とする請求項７記載の方法。
【請求項９】
前記次に受信されるＤＳＣＨフレームが存在する場合、電力制御情報の送信時点にＵＬ＿ＤＰＣＣＨを通して前記ＤＳＣＨ電力制御情報を表現する符号語を送信することを特徴とする請求項６記載の方法。
【請求項１０】
前記ＤＳＣＨ電力制御情報を表現する符号語は、ＦＢＩフィールドによって送信されることを特徴とする請求項９記載の方法。
【請求項１１】
前記符号語は、シンプレックス符号語を使用して生成されることを特徴とする請求項１０記載の方法。
【請求項１２】
前記ＤＳＣＨ送信電力制御情報は、チャネル状況に基づいて報告時点に生成されて伝送されることを特徴とする請求項１記載の方法。
【請求項１３】
前記チャネル状況は、前記ＤＬ＿ＤＣＨを通して前記ＴＰＣを伝送する全てのノードＢの数、及び前記第１ノードＢから受信されたＣＰＩＣＨ信号の強度とその他の第１ノードＢから受信された最も大きいＣＰＩＣＨ信号の強度との差によって推定されることを特徴とする請求項１２記載の方法。
【請求項１４】
前記推定されたチャネル状況値は、ＦＢＩフィールドによって伝送されることを特徴とする請求項１３記載の方法。
【請求項１５】
前記推定されたチャネル状況値は、シンプレックス符号語を使用して符号化されることを特徴とする請求項１４記載の方法。
【請求項１６】
前記チャネル状況に基づいた報告時点は、ＵＴＲＡＮ（Ｕｎｉｖｅｒｓａｌ Ｍｏｂｉｌｅ Ｔｅｌｅｃｏｍｍｕｎｉｃａｔｉｏｎ Ｓｙｓｔｅｍ（ＵＭＴＳ） Ｔｅｒｒｅｓｔｒｉａｌ Ｒａｄｉｏ Ａｃｃｅｓｓ Ｎｅｔｗｏｒｋ）のスケジューリングによって決定されることを特徴とする請求項１２記載の方法。
【請求項１７】
複数のノードＢ及びノードＢのセル領域のうち重畳された領域として定義されるＳＨＯ領域に存在するＵＥを有し、前記ＵＥにＤＳＣＨを通してデータを伝送すると共にＤＬ＿ＤＣＨを通してＴＰＣを伝送する第１ノードＢ、及び前記ＵＥにＤＬ＿ＤＣＨを通してＴＰＣを伝送するその他のノードＢを有する移動通信システムで、前記ＤＳＣＨの送信電力を制御する方法において、
前記ＵＥからＤＳＣＨ送信電力制御情報を受信する過程と、
前記受信されたＤＳＣＨ送信電力制御情報によって前記ＤＳＣＨを送信する過程と、
からなることを特徴とする方法。
【請求項１８】
前記ＤＳＣＨの送信電力は、前記ＤＳＣＨ送信電力制御情報を受信した後、前記ＵＥに伝送されるＤＳＣＨデータが存在しない場合、前記ＤＳＣＨを通して最後に伝送されたデータを利用して決定されることを特徴とする請求項１７記載の方法。
【請求項１９】
前記ＵＥが初めにＳＨＯ領域に位置する場合、前記ＤＳＣＨ電力は、所定の初期電力オフセット値によって決定されることを特徴とする請求項１７記載の方法。
【請求項２０】
前記ＤＳＣＨ送信電力制御情報は、前記ＵＥから前記ＤＳＣＨ送信電力情報を受信する度に更新されることを特徴とする請求項１７記載の方法。
【請求項２１】
複数のノードＢ及びノードＢのセル領域のうち重畳された領域として定義されるＳＨＯ領域に存在するＵＥを有し、前記ＵＥにＤＳＣＨを通してデータを伝送すると共にＤＬ＿ＤＣＨを通してＴＰＣを伝送する第１ノードＢ、及び前記ＵＥにＤＬ＿ＤＣＨを通してＴＰＣを伝送するその他のノードＢを有する移動通信システムで、前記ＤＳＣＨの送信電力を制御する方法において、
前記ＵＥから少なくとも所定の回数以上チャネル状況情報を受信し、前記受信されたチャネル状況情報によって前記ＤＳＣＨの送信電力を決定する過程と、
前記決定された送信電力で前記ＵＥに前記ＤＳＣＨを送信する過程と、
からなることを特徴とする方法。
【請求項２２】
前記ＵＥが前記ＳＨＯ領域に位置する場合、前記チャネル状況情報の受信回数を決定して前記ＵＥに知らせる過程をさらに備えることを特徴とする請求項２１記載の方法。
【請求項２３】
前記チャネル状況情報は、前記ＤＬ＿ＤＣＨを通して前記ＴＰＣを伝送する全てのノードＢの数、及び前記第１ノードＢから受信されたＣＰＩＣＨ信号の強度とその他の第１ノードＢから受信された最も大きいＣＰＩＣＨ信号の強度との差によって推定されることを特徴とする請求項２１記載の方法。
【請求項２４】
複数のノードＢ及びノードＢのセル領域のうち重畳された領域として定義されるＳＨＯ領域に存在するＵＥを有し、前記ＵＥにＤＳＣＨを通してデータを伝送すると共にＤＬ＿ＤＣＨを通してＴＰＣを伝送する第１ノードＢ、及び前記ＵＥにＤＬ＿ＤＣＨを通してＴＰＣを伝送するその他のノードＢを有する移動通信システムで、前記ＤＳＣＨの送信電力を制御する装置において、
前記ＤＬ＿ＤＣＨを通して前記ＴＰＣを伝送するノードＢから受信されたＣＰＩＣＨ信号の強度を測定するパイロットチャネル強度測定器と、
前記パイロットチャネル強度測定器から受信された前記第１ノードＢからの前記ＣＰＩＣＨ信号の強度が増加するか減少するかを検査するＣＰＩＣＨ強度変化検査器と、
前記ＣＰＩＣＨ強度変化検査器から受信された検査結果によってオフセット値を決定するオフセット決定器と、
前記オフセット決定器から受信された前記オフセット値をアップリンク専用チャネル（ＵＬ＿ＤＣＨ）を通して送信する送信器と、
から構成されることを特徴とする装置。
【請求項２５】
前記送信器は、前記オフセット値を前記ＵＬ＿ＤＣＨのＦＢＩフィールドによって送信することを特徴とする請求項２４記載の装置。
【請求項２６】
前記送信器は、前記オフセット値をシンプレックス符号語を利用して符号化するシンプレックス符号器をさらに備えることを特徴とする請求項２４記載の装置。
【請求項２７】
複数のノードＢ及び前記ノードＢのセル領域のうち重畳された領域として定義されるＳＨＯ領域に存在するＵＥを有し、前記ＵＥにＤＳＣＨを通してデータを伝送すると共にＤＬ＿ＤＣＨを通してＴＰＣを伝送する第１ノードＢ、及び前記ＵＥにＤＬ＿ＤＣＨを通してＴＰＣを伝送するその他のノードＢを有する移動通信システムで、前記ＤＳＣＨの送信電力を制御する装置において、
前記ＤＬ＿ＤＣＨを通して前記ＴＰＣを伝送するノードＢからのＣＰＩＣＨ信号の強度を測定するパイロットチャネル強度測定器と、
決定されたオフセット値に対応する符号を出力する第１リードマラー符号語メモリと、
前記メモリから受信された前記符号をＵＬ＿ＤＣＨを通して送信する送信器と、
から構成されることを特徴とする装置。
【請求項２８】
前記送信器は、前記ＵＬ＿ＤＣＨのＦＢＩフィールドによって前記オフセット符号を送信することを特徴とする請求項２７記載の装置。
【請求項２９】
アクティブセット内のノードＢからパイロットチャネル、及びアップリンクチャネルを制御する電力制御ビットを受信し、前記ノードＢのいずれか１つからＤＳＣＨを通してデータを受信するＵＥにおけるＤＳＣＨ電力制御情報伝送方法において、
前記ノードＢの数及び前記ＤＳＣＨを伝送するノードＢのＣＰＩＣＨ受信電力の変化に基づいて前記ＤＳＣＨ送信電力制御情報を生成する過程と、
前記生成されたＤＳＣＨ送信電力制御情報を前記ＤＳＣＨを伝送するノードＢに伝送する過程と、
からなることを特徴とする方法。
【発明の詳細な説明】
【０００１】
【発明の属する技術分野】
本発明は、非同期移動通信システムにおけるダウンリンク共有チャネル（Ｄｏｗｎｌｉｎｋ Ｓｈａｒｅｄ Ｃｈａｎｎｅｌ： 以下、ＤＳＣＨと称する）の送信電力制御に関し、特に、ハンドオフ領域における端末（Ｕｓｅｒ Ｅｑｕｉｐｍｅｎｔ： 以下、ＵＥと称する）に対してＤＳＣＨの送信電力を制御するための装置及び方法に関する。
【０００２】
【従来の技術】
一般的に、ヨーロッパ方式の第３世代非同期移動通信システムであるＷＣＤＭＡにおいて使用されるＤＳＣＨは、複数のＵＥによって共有されるチャネルである。前記ＤＳＣＨは、１０ｍのラジオフレーム（ｒａｄｉｏ ｆｒａｍｅ）単位で、ＵＥへパケットデータまたはその他の高速データを送信するために指定されるチャネルである。前記ＤＳＣＨは、フレームレベルで伝送されるデータの可変的な伝送率を支援し、ＷＣＤＭＡにおいてノードＢとＵＥとの間に設定される専用チャネル（Ｄｅｄｉｃａｔｅｄ Ｃｈａｎｎｅｌ： 以下、ＤＣＨと称する）と同様にスロット単位で電力制御することができる。ラジオフレームは、ＷＣＤＭＡにおいて信号を伝送する基本単位で、長さは１０ｍｓであり、１５個のスロットから構成される。前記ＤＳＣＨは、使用者データのみを伝送し、前記ＤＳＣＨの電力制御は、前記ＤＳＣＨと共に割り当てられるダウンリンク専用チャネル（Ｄｏｗｎｌｉｎｋ Ｄｅｄｉｃａｔｅｄ Ｃｈａｎｎｅｌ： 以下、ＤＬ＿ＤＣＨと称する）を使用する。前記ＤＳＣＨは、幾つかのフレームまたは１つのフレームの間に１つのＵＥへ伝送されることができる。どのＵＥに、いつ前記ＤＳＣＨを伝送するかは、上位階層のスケジューリングによって決定される。
【０００３】
前記ＤＳＣＨを詳しく理解するために、図１Ａを参照して前記ＤＳＣＨの構造を説明する。図１Ａにおいて、参照符号１０１は、１０ｍｓのＤＳＣＨラジオフレームを示し、参照符号１０３は、１つのスロットを示す。前記ＤＳＣＨラジオフレームは、１５個のスロットから構成され、１つのＤＳＣＨスロット１０３は、２５６０チップ（ｃｈｉｐ）の長さを有する。前記ＤＳＣＨスロット１０３で伝送される情報の量は、前記ＤＳＣＨスロット１０３に適用される拡散率（Ｓｐｒｅａｄｉｎｇ Ｆａｃｔｏｒ： ＳＦ）に反比例し、前記拡散率は、４乃至２５６の値を有する。
【０００４】
図１Ｂは、ノードＢによって図１Ａに示す前記ＤＳＣＨと共にＵＥへ割り当てられるＤＬ＿ＤＣＨの構造を示す。図１Ｂにおいて、参照符号１１１は、ＤＬ＿ＤＣＨのラジオフレームを示す。１つのＤＬ＿ＤＣＨスロットは、図１Ｂに示すように、Ｄａｔａ１（１１３）、ＴＰＣ（Ｔｒａｎｓｍｉｔ Ｐｏｗｅｒ ｃｏｎｔｒｏｌ： 以下、ＴＰＣと称する）１１２、ＴＦＣＩ（Ｔｒａｎｓｍｉｔ Ｆｏｒｍａｔ Ｃｏｍｂｉｎａｔｉｏｎ Ｉｎｄｉｃａｔｏｒ： 以下、ＴＦＣＩと称する）１１４、Ｄａｔａ２（１１５）、及びＰｉｌｏｔ１１６から構成される。前記ＤＬ＿ＤＣＨスロットは、Ｄａｔａ１、ＴＰＣ、ＴＦＣＩ、Ｄａｔａ２、及びＰｉｌｏｔの長さによって相違する構造を有することができる。
【０００５】
Ｄａｔａ１（１１３）及びＤａｔａ２（１１５）は、ダウンリンク専用物理データチャネル（Ｄｏｗｎｌｉｎｋ Ｄｅｄｉｃａｔｅｄ Ｐｈｙｓｉｃａｌ Ｄａｔａ Ｃｈａｎｎｅｌ： 以下、ＤＬ＿ＤＰＤＣＨと称する）と呼ばれ、使用者データ及び上位階層からのシグナリング情報（ｓｉｇｎａｌｉｎｇ ｉｎｆｏｒｍａｔｉｏｎ）を伝送する。ＴＰＣ１１２、ＴＦＣＩ１１４、及びＰｉｌｏｔ１１６は、集合的にダウンリンク専用物理制御チャネル（Ｄｏｗｎｌｉｎｋ Ｄｅｄｉｃａｔｅｄ Ｐｈｙｓｉｃａｌ Ｃｏｎｔｒｏｌ Ｃｈａｎｎｅｌ： 以下、ＤＬ＿ＤＰＣＣＨと称する）を形成する。ＴＰＣ１１２は、前記ＵＥから前記ノードＢへ伝送されるアップリンクチャネルの送信電力を制御する命令を伝送するフィールドであり、ＴＦＣＩ１１４は、ＤＬ＿ＤＣＨを通して相違するデータ伝送率でトランスポートチャネル（ｔｒａｎｓｐｏｒｔ ｃｈａｎｎｅｌ）が伝送される時、これを知らせる符号語を伝送するフィールドであり、Ｐｉｌｏｔ１１６は、前記ＵＥがダウンリンクチャネルの電力制御のために前記ダウンリンクチャネルの送信電力を測定することを可能にするフィールドである。ＴＦＣＩ１１４の説明におけるトランスポートチャネルは、上位階層とデータ伝送を物理的に制御する物理階層とを連結する機能をする。
【０００６】
前記ＷＣＤＭＡにおけるＤＳＣＨの電力制御のために、前記ＤＬ＿ＤＣＨ１１１を受信するＵＥは、図１Ｂに示すＰｉｌｏｔ１１６を測定し、前記ノードＢにＴＰＣ命令を伝送する。前記ＵＥは、前記パイロット測定から受信電力が適切であるか否かを判断する。前記ＵＥから前記電力制御命令を受信すると、前記ノードＢは、前記ＤＬ＿ＤＣＨの送信電力を制御し、前記ＤＳＣＨの送信電力を前記ＤＬ＿ＤＣＨ及び前記ＤＳＣＨのデータ伝送率を考慮して適したレベルに設定する。前記ＤＬ＿ＤＣＨの送信電力と前記ＤＳＣＨの送信電力との差は、前記チャネルのデータ伝送率に依存し、周知の手順によって容易に計算されることができる。
【０００７】
ＴＰＣがスロット単位で前記ＵＥから伝送されるので、前記ＤＬ＿ＤＣＨの電力制御はスロット単位で遂行されることができる。従って、前記ＤＳＣＨの送信電力もスロット単位で制御されることができる。
【０００８】
図２は、前記ＤＳＣＨを受信する前記ＵＥがソフトハンドオフ（ｓｏｆｔ ｈａｎｄｏｆｆ： ＳＨＯ）領域に位置する場合のアップリンク及びダウンリンク信号の流れを示す。説明の便宜上、２つのノードＢのみを考慮して説明する。前記ＳＨＯは、前記ＵＥがソースノードＢ（ｓｏｕｒｃｅ ｎｏｄｅ Ｂ）及びターゲットノードＢ（ｓｏｕｒｃｅ ｔａｒｇｅｔ ｎｏｄｅ Ｂ）の両方から信号を受信する領域に移動する時に発生する。前記ＳＨＯ領域において、前記ＵＥは、所定の時間の間にソースノードＢ及びターゲットノードＢの両方と通信する。前記ＵＥが前記ソースノードＢのサービス領域に移動すると、前記ソースノードＢから受信される信号の品質が適切なレベルに至らなくなる。次に、前記ＵＥは、不良の信号品質を提供する前記ソースノードＢとのチャネルを解除し、良好の信号品質を提供するターゲットノードＢと呼（ｃａｌｌ）を連結する。この過程をＳＨＯと称する。
【０００９】
前記ＵＥが前記ＳＨＯ領域に至ると、前記ノードＢの送信電力を低減して干渉されずに呼のハンドオフができるように、前記ソースノードＢの送信電力及び前記ターゲットノードＢの送信電力を合計して、その送信電力を中間の値に設定する。その結果、活性領域（ｃｏｖｅｒａｇｅ ａｒｅａ）内の前記ＵＥに信号を同報通信するノードＢの送信電力が減少されることによって、隣接したＵＥ及びノードＢの干渉の影響が低減する。
【００１０】
図２を参照して、このＳＨＯの手順をより詳細に説明する。図２に示すノードＢ１（２０１）は、ＵＥ２１１にＤＳＣＨ及びそれに対応するＤＬ＿ＤＣＨを伝送し、ノードＢ２（２０３）は、前記ＵＥ２１１が自分に向かって移動するにつれて、前記ＵＥ２１１にＤＬ＿ＤＣＨを伝送するようになる。前記ＵＥ２１１への信号伝送ができるノードＢの集合をアクティブセット（ａｃｔｉｖｅ ｓｅｔ）と称する。前記ＤＳＣＨを受信する前記ＵＥ２１１が前記ＳＨＯ領域に入る場合、下記のような問題が発生する。
【００１１】
前記ＵＥ２１１は、前記ノードＢ１（２０１）から前記ＤＳＣＨ及び前記ＤＬ＿ＤＣＨを受信するが、前記ノードＢ２（２０３）からは前記ＤＬ＿ＤＣＨのみを受信する。前記ＤＳＣＨは、下記のような理由によって前記ＳＨＯを支援しない。第１に、前記ＤＳＣＨは、前記ＤＬ＿ＤＣＨに比べて高速データを伝送するので、より多くのチャネル資源を使用する。第２に、前記ＤＳＣＨのＳＨＯを支援するために、前記アクティブセット内の全てのノードＢはＳＣＨを支援するアルゴリズムを備えるべきであり、これは、前記ノードＢ間の同期化を必要とする。第３に、前記非同期移動通信システムにおけるノードＢの非同期動作は、タイミングに関する問題を生じさせる。第４に、前記ＤＳＣＨの特性のため、それぞれのＵＥが使用する時点に対する精密なスケジューリングは、個々のノードＢが前記ＵＥに前記ＤＳＣＨを伝送することを困難にする。
【００１２】
前記ノードＢ１（２０１）及び前記ノードＢ２（２０３）から受信されるＤＬ＿ＤＣＨは、前記ＵＥ２１１において柔結合（ｓｏｆｔ ｃｏｍｂｉｎａｔｉｏｎ）されて解析される。前記柔結合は、前記ＵＥ２１１で受信された信号を結合する過程である。前記柔結合の目的は、解析の前に、相違する経路を通して受信される同一の情報を合計して、前記ＵＥ２１１に受信された信号に対する雑音の影響を減少させることである。前記柔結合の動作は、前記ＵＥ２１１が相違するノードＢから同一の情報を受信する時のみに実行できる。それぞれのノードＢから相違する情報が受信される場合、前記柔結合の動作は雑音成分のみを増加させる。ＴＰＣ１１２を除いて、前記ＤＬ＿ＤＣＨは柔結合される。前記ＵＥ２１１は位置が一定でないので、前記ＵＥ２１１において前記ノードＢ１（２０１）の信号強度は強くなり、前記ノードＢ２（２０３）の信号強度は弱くなる可能性があり、その反対になることもある。前記ＴＰＣ間に差がある可能性があるので、前記ＤＬ＿ＤＣＨのＴＰＣは、柔結合されずに別々に解析される。
【００１３】
図２に示すアップリンク専用チャネル（Ｕｐｌｉｎｋ Ｄｅｄｉｃａｔｅｄ Ｃｈａｎｎｅｌ： 以下、ＵＬ＿ＤＣＨと称する）を通して伝送されるＴＰＣを決定する時、前記ＵＥ２１１は、前記ノードＢ１（２０１）及び前記ノードＢ２（２０３）から受信された信号を合計し、前記受信された信号が適したレベルであるが否かを検査する。前記受信された信号の単なる合計または加重合計に基づいてＴＰＣを決定するので、前記ＳＨＯ領域に位置する前記ＵＥ２１１に伝送される前記ＤＳＣＨの送信電力を決定する時、下記のような問題が発生する。
【００１４】
前記ＵＥ２１１が前記ＳＨＯ領域外に位置して前記ソースノードＢのみと通信する場合、前記ＵＥ２１１に伝送される前記ＤＳＣＨの送信電力は、前記ＤＬ＿ＤＣＨの送信電力に前記ＤＳＣＨと前記ＤＬ＿ＤＣＨとのデータ伝送率の差を反映した値を加算して決定される。つまり、前記ＤＬ＿ＤＣＨに連動されて前記ＤＳＣＨの送信電力の大きさが決定される。前記ＤＬ＿ＤＣＨの送信電力が増加するにつれて、前記ＤＳＣＨの送信電力も増加し、前記ＤＬ＿ＤＣＨの送信電力が減少するにつれて、前記ＤＳＣＨの送信電力も減少する。前記ノードＢ１（２０１）と前記ＵＥ２１１との間のチャネル環境に適応的に、前記ＤＳＣＨを前記ＵＥ２１１に伝送することができる。しかしながら、前記ＵＥ２１１が前記ＳＨＯ領域に位置する場合、前記ＤＳＣＨを送信する前記ソースノードＢ１（２０１）から受信された信号だけでなく、前記アクティブセット内の他のノードＢから受信された信号も考慮して、前記ＵＬ＿ＤＣＨに伝送されるＴＰＣが決定される。
【００１５】
前記問題点を明確にするために図２を参照すると、前記ＤＳＣＨの送信電力は、前記ＵＥ２１１と前記ノードＢ１（２０１）との間のチャネル環境を考慮して決定されるべきであり、前記ＤＬ＿ＤＣＨの送信電力は、前記ＵＥ２１１と前記前記ノードＢ１（２０１）との間のチャネル環境及び前記ＵＥ２１１と前記ノードＢ２（２０３）との間のチャネル環境を考慮して決定されるべきである。従来の技術において、前記ＤＳＣＨの送信電力は、前記ＤＬ＿ＤＣＨの送信電力に所定の電力値を加算することによって決定されるので、前記ＵＥ２１１と前記ノードＢ２（２０３）との間のチャネル環境を追加的に考慮したＴＰＣを適用すると、前記ＤＳＣＨの送信電力が適した電力レベルより大きくなるか小さくなるという問題が発生する。その他の問題点は、前記ノードＢ１（２０１）が自ら前記ＤＬ＿ＤＣＨを伝送するために必要な送信電力より低い電力で前記ＳＨＯ領域内の前記ＵＥ２１１へ前記ＤＬ＿ＤＣＨを伝送する時に発生する。この場合、前記ノードＢ１（２０１）は、前記ＳＨＯ領域外で前記ＤＬ＿ＤＣＨと前記ＤＳＣＨとの送信電力の差を適用することができない。
【００１６】
前記ＳＨＯ領域において前記ＤＳＣＨの送信電力の問題を解決するために、様々な方法が提案された。図３に示す技術は、前記提案された技術の１つであり、前記ＤＳＣＨ送信電力制御のために前記ＷＣＤＭＡ標準によるＳＳＤＴ（Ｓｉｔｅ Ｓｅｌｅｃｔｉｏｎ Ｄｉｖｅｒｓｉｔｙ Ｔｒａｎｓｍｉｔ： 以下、ＳＳＤＴと称する）を使用する技術である。理解を容易にするために、アクティブセットが２つのノードＢを備えると仮定する。
【００１７】
前記ＳＳＤＴ技術において、前記ＳＨＯ領域に位置したＵＥ３１１のアクティブセット内にあるそれぞれのノードＢに臨時識別子（ｔｅｍｐｏｒａｒｙ ｉｄｅｎｔｉｆｉｃａｔｉｏｎ）を割り当て、前記ＵＥ３１１に最高の信号品質を提供することができるノードＢを選択する。前記選択されたノードＢのみが前記ＵＥ３１１にＤＬ＿ＤＰＤＣＨを伝送し、その他のノードＢは前記ＵＥ３１１にＤＬ＿ＤＰＣＣＨのみを伝送することによって、前記ＳＨＯを支援するために前記アクティブセット内の全てのノードＢからＤＬ＿ＤＰＤＣＨを前記ＵＥ３１１で同時に受信することで発生する干渉が低減する。ＤＬ＿ＤＰＤＣＨを伝送するノードＢを一次（ｐｒｉｍａｒｙ）ノードＢと言い、前記一次ノードＢは、前記ＵＥ３１１における測定情報によって周期的に更新される。前記一次ノードＢは、自分の臨時識別子を前記アクティブセット内の他のノードＢに伝送することによって更新される。
【００１８】
前記ＳＳＤＴを使用して前記ＤＳＣＨ送信電力を制御するために、前記ＵＥ３１１は、ノードＢ１（３０１）及びノードＢ２（３０３）から共通パイロットチャネル（Ｃｏｍｍｏｎ Ｐｉｌｏｔ Ｃｈａｎｎｅｌ： 以下、ＣＰＩＣＨと称する）を受信し、前記ＣＰＩＣＨのパイロット信号強度を比較して一次ノードＢを決定する。次に、前記ＵＥ３１１は、それぞれのノードＢに前記一次ノードＢの臨時識別子を伝送する。前記前記臨時識別子を受信する前記ノードＢのうちＤＳＣＨを伝送するノードＢは、所定の区間の間に数回前記臨時識別子を受信し、前記臨時識別子が前記ノードＢを何回示すかを検査する。前記ノードＢは、一次ノードＢモードで前記ＤＳＣＨを伝送するか、非一次ノードＢモードで前記ＤＳＣＨを伝送するかを決定する。
【００１９】
例えば、ノードＢ１（３０１）は、前記ＵＥ３１１にＤＬ＿ＤＣＨ及びＤＳＣＨを伝送する。ノードＢ２（３０３）は、前記ＵＥ３１１のアクティブセットに新しく含まれ、前記ＵＥ３１１にＤＬ＿ＤＣＨのみを伝送する。前記ノードＢから受信されたＣＰＩＣＨの信号強度を比較した後、前記ＵＥ３１１は、一次ノードＢの臨時識別子を前記ノードＢ１（３０１）及び前記ノードＢ２（３０３）に伝送する。前記ＵＥ３１１から受信された一次ノードＢの臨時識別子がノードＢ１（３０１）を指示する場合、前記ノードＢ１（３０１）は、ＤＳＣＨの送信電力をＵＬ＿ＤＣＨのＴＰＣ及び前記ＳＨＯ領域へ前記ＵＥ３１１が移動することによって発生する要因、例えば、ＤＬ＿ＤＣＨの送信電力減少分を反映した電力オフセットなどのような要因を考慮して決定する。つまり、前記ＵＥ３１１から受信されたＴＰＣに基づいて前記ＤＳＣＨの送信電力が増加するかまたは減少するかを決定する。前記ノードＢ１（３０１）が一次ノードＢである場合、前記ＤＳＣＨ電力の制御は、前記ＤＬ＿ＤＣＨの送信電力減少分のような要因のため必要な電力オフセットを適用するケースを除いて、前記ＵＥ３１１が前記ＳＨＯ領域に位置しない場合と同一に遂行される。
【００２０】
一方、前記ノードＢ２（３０３）が一次ノードＢとして選択された場合、前記ノードＢ１（３０１）は、前記ＵＥ３１１が離れていくと、または、前記チャネル環境が悪いと推定して、前記ＤＳＣＨを固定したパワーオフセット（ｐｏｗｅｒ ｏｆｆｓｅｔ）を適用して前記ＵＥ３１１に伝送する。つまり、前記ノードＢ１（３０１）は、前記ＵＥ３１１から受信されたＴＰＣを無視し、予め設定された電力オフセットを適用して前記ＤＳＣＨを前記ＵＥ３１１に伝送する。
【００２１】
以下、前述したＳＳＤＴによるＤＳＣＨ送信電力制御の問題点を説明する。（１）前記ＵＥ３１１が前記ＳＨＯ領域に入る場合、各ノードＢからの個々のＤＬ＿ＤＣＨの送信電力は１つのノードＢによって伝送されるＤＬ＿ＤＣＨの送信電力より小さく、その差は、前記アクティブセットの内のノードＢの数によって変化する。さらに、前記ＵＥ３１１からダウンリンク電力制御のために伝送されたＴＰＣは、前記ノードＢから伝送されたＤＬ＿ＤＣＨを結合した後、前記信号品質が適しているか否かを判断して決定されるので、前記ＴＰＣの決定は、前記ＤＳＣＨを伝送するノードＢと前記ＵＥ３１１との間のチャネル環境だけでなく、他のノードＢと前記ＵＥ３１１との間のチャネル環境の影響も受ける。従って、前記ＤＳＣＨを伝送するノードＢは一次ノードＢであっても、ＵＬ＿ＤＣＨのＴＰＣに基づいて決定されたＤＳＣＨの送信電力と必要なＤＳＣＨ送信電力との間には誤差がある可能性がある。（２）前記ＤＳＣＨを伝送するノードＢは、前記ＵＥ３１１が前記ＳＨＯ領域に位置する場合、自分が一次ノードＢであるか否かによって相違する固定した電力オフセットを適用して前記ＤＳＣＨを伝送する。前記アクティブセット内のノードＢ間の受信電力が均衡を保つ時に前記ＤＳＣＨを伝送するノードＢが一次ノードＢとして指定されないと、前記ＤＳＣＨは、過度な電力で送信される可能性がある。前記ＤＳＣＨを伝送するノードＢが一次ノードＢになる場合、前記ＤＳＣＨは、過小電力で送信されることができる。一次ノードＢであるかどうかによって相違する固定した電力オフセット値を適用することは、実際のＤＳＣＨ送信電力と必要なＤＳＣＨ送信電力との間に誤差を生じさせる可能性がある。
【００２２】
【発明が解決しようとする課題】
従って、本発明の目的は、ＳＨＯ領域においてＤＳＣＨを受信するＵＥがＤＳＣＨの送信電力を制御する装置及び方法を提供することにある。
【００２３】
本発明の他の目的は、ＤＳＣＨを受信するＵＥで決定された相対的な電力オフセットを利用して前記ＤＳＣＨの送信電力を制御する装置及び方法を提供することにある。
【００２４】
本発明のまた他の目的は、ＤＳＣＨを受信するＵＥにおいて、前記ノードＢから伝送されるＤＳＣＨの送信電力を制御するために、ＤＬ＿ＤＣＨの柔結合利得（ｓｏｆｔ ｃｏｍｂｉｎｉｎｇ ｇａｉｎ）及び前記ＵＥとノードＢとの間の距離を考慮してパワーオフセットを決定する方法を提供することにある。
【００２５】
本発明の他の目的は、ＤＳＣＨを受信するＵＥにおいて、ノードＢから伝送されるＤＳＣＨの送信電力を制御するために、アクティブセット内のノードＢから受信されたＣＰＩＣＨ及び専用パイロット信号の強度を測定してパワーオフセットを決定する方法を提供することにある。
【００２６】
本発明の他の目的は、ＤＳＣＨを受信するＵＥにおいて、ノードＢから伝送されるＤＳＣＨの送信電力を制御するために、ＵＬ＿ＤＣＨのＦＢＩフィールドによって電力オフセットを伝送する装置及び方法を提供することにある。
【００２７】
本発明のまた他の目的は、ＤＳＣＨを受信するＵＥがＤＳＣＨの送信電力の制御のために使用する電力オフセットの伝送において、信頼性のある電力オフセットの伝送のために、前記電力オフセットを符号化する装置及び方法を提供することにある。
【００２８】
本発明の他の目的は、ノードＢにおいて、ＤＳＣＨの送信電力の制御のために、受信された電力オフセットを復号化する装置及び方法を提供することにある。
【００２９】
本発明のまた他の目的は、ＤＳＣＨの送信電力の制御のために、ＤＳＣＨを受信するＵＥからＵＬ＿ＤＣＨのＦＢＩフィールドによって電力制御命令を直接伝送する装置及び方法を提供することにある。
【００３０】
本発明のまた他の目的は、前記ＵＥのアクティブセット内の各ノードＢから受信されたＣＰＩＣＨ及び専用パイロットチャネル信号の強度を測定することによって、ＤＳＣＨを受信するＵＥにおいて、ＵＬ＿ＤＣＨのＦＢＩフィールドによってＤＳＣＨの電力制御のための電力制御命令を決定する方法を提供することにある。
【００３１】
【課題を解決するための手段】
前記のような目的を達成するための本発明は、移動通信システムにおいて、ＤＳＣＨの電力オフセットを制御する装置及び方法を提供する。
【００３２】
前記ＤＳＣＨ送信電力制御方法において、ＵＥは、自分に前記ＤＳＣＨを伝送するノードＢからＣＰＩＣＨの受信電力によって決定されたチャネル状況に基づいて前記ＤＳＣＨの送信電力を制御する情報を生成し、前記ＤＳＣＨ送信電力制御情報を前記ノードＢに伝送する。
【００３３】
前記ＤＳＣＨ送信電力制御装置において、パイロットチャネル強度測定器は、ＵＥにＤＬ＿ＤＣＨを通してＴＰＣを伝送するノードＢから受信されたＣＰＩＣＨの信号強度を測定する。ＣＰＩＣＨ強度変化検査器は、前記パイロットチャネル強度測定器から受信された前記第１ノードＢからの前記ＣＰＩＣＨ信号の強度が増加するか減少するかを検査する。オフセット決定器は、前記ＣＰＩＣＨ強度変化検査器から受信された検査結果によってオフセット値を決定し、送信器は、前記オフセット決定器から受信された前記オフセット値をＵＬ＿ＤＣＨを通して送信する。
【００３４】
【発明の実施の形態】
以下、本発明に従う好適な実施形態について添付図を参照しつつ詳細に説明する。下記の説明において、本発明の要旨のみを明確にする目的で、関連した公知機能または構成に関する具体的な説明は省略する。
【００３５】
図４は、本発明の理解を容易にするために、一例として、アクティブセット内に２つのノードＢが存在するシステム構成を示す図である。図４において、ノードＢ１（４０１）は、ＵＥ４１１にＤＬ＿ＤＣＨ及びＤＳＣＨを伝送し、ノードＢ２（４０３）は、前記アクティブセットに新しく含まれ、前記ＵＥ４１１にＤＬ＿ＤＣＨのみを伝送する。前記ＵＥ４１１は、ノードＢ１（４０１）及びノードＢ２（４０３）にＵＬ＿ＤＣＨを無差別に同報通信する。従来の技術において、前記ＵＥ４１１がＳＨＯ領域に入る時、前記ＵＥ４１１は、ノードＢ１（４０１）からのＣＰＩＣＨ及びノードＢ２（４０３）からのＣＰＩＣＨを共に受信し、前記受信されらＣＰＩＣＨの信号強度を測定して前記ノードＢ１（４０１）とノードＢ２（４０３）のうち一次ノードＢを選定する。前記一次ノードＢとして選定されたノードＢの臨時識別子は、前記ＵＥ４１１によってＵＬ＿ＤＣＨのフィードバック情報（Ｆｅｅｄｂａｃｋ Ｉｎｆｏｒｍａｔｉｏｎ： 以下、ＦＢＩと称する）フィールドで伝送される。前記ＦＢＩフィールドは、図５Ａに示すように、２ビットの長さを有する。図５Ａを参照すると、参照符号５０１は、前記ＦＢＩフィールドのＳフィールドを示し、前記Ｓフィールドは、ＷＣＤＭＡで送信アンテナダイバシーティを使用する時に前記ＵＥ４１１がノードＢに送信するフィールドである。参照符号５０３は、前記ＦＢＩフィールドのＤフィールドを示し、前記Ｄフィールドは、ＷＣＤＭＡでＳＳＤＴを使用する時に前記ＵＥ４１１がノードＢに送信するフィールドである。前記Ｓフィールド５０１は、０ビットまたは２ビットの長さを有する。前記Ｓフィールド５０１が０ビットである場合、送信アンテナダイバシーティを使用しないことを示す。前記Ｄフィールド５０３は、０、１、または２ビットの長さを有し、前記Ｓフィールドによって選択されるので、前記Ｓフィールドが０である時に発生する。前記Ｄフィールド５０３が０ビットである場合、前記ＳＳＤＴが使用されないことを示す。１ビットである場合は、前記ＳＳＤＴが前記送信アンテナダイバシーティと共に使用されることを示し、２ビットである場合は、前記ＳＳＤＴのみが使用されることを示す。前記ＳＳＤＴが使用される場合、前記ＦＢＩフィールドは、一次ノードＢを示す臨時識別子を表現する符号語を伝送する。＜表１＞及び＜表２＞は、前記ＦＢＩフィールドの長さ及び前記ＵＥ４１１の前記アクティブセット内のノードＢのチャネル環境によって変化するＳＳＤＴ符号語を示す。前記ＳＳＤＴ符号語は、現在ＷＣＤＭＡ標準によって使用される符号語である。ＤＳＣＨのラジオフレームが１５個のスロットから構成されるので、前記符号語が１つのフレーム内に完全に伝送できない場合、括弧内の符号ビットは省略される。
【００３６】
【表１】
2004511176.tif 000003
＜表１＞は、１ビットのＦＢＩが使用される時のＳＳＤＴ符号語を示す。つまり、ＳＳＤＴが送信アンテナダイバシーティと共に使用されることを示す。
【００３７】
【表２】
2004511176.tif 000004
＜表２＞は、２ビットのＦＢＩが使用される時のＳＳＤＴ符号語を示す。つまり、ＳＳＤＴのみが使用されることを示す。
【００３８】
従来の技術において、＜表１＞及び＜表２＞は、使用されるモードによって選択的に使用され、＜表１＞または＜表２＞の符号語は、前記アクティブセット内のノードＢに臨時識別子として割り当てられる。一次ノードＢは、上位階層によって設定される所定の周期ごとに再指定され、前記ＵＥ４１１は、一次ノードＢの臨時識別子を前記アクティブセット内のノードＢに伝送する。ＤＳＣＨを伝送するノードＢが一次ノードＢである場合、前記ノードＢは、前記ＵＥ４１１から受信されたＴＰＣによってＤＳＣＨの送信電力を決定する。一方、前記ノードＢが非一次（ｎｏｎ−ｐｒｉｍａｒｙ）ノードＢである場合、固定した電力オフセット値及び前記ＵＥ４１１から受信されたＴＰＣによってＤＳＣＨの送信電力を決定する。前記従来の技術の問題点は、前記ＵＥ４１１から伝送されたＴＰＣが前記ＤＳＣＨを伝送するノードＢからの信号のみによって決定されることではないので、前記固定した電力オフセットを使用して前記ＤＳＣＨに伝送すると、前記ＤＳＣＨの送信電力が過多にまたは過小に伝送される可能性がある。
【００３９】
図５Ｂは、前記ＴＰＣフィールドが含まれて前記ＵＥ４１１によって伝送されるアップリンク専用物理制御チャネル（Ｕｐｌｉｎｋ Ｄｅｄｉｃａｔｅｄ Ｐｈｙｓｉｃａｌ Ｃｏｎｔｒｏｌ Ｃｈａｎｎｅｌ： 以下、ＵＬ＿ＤＰＣＣＨと称する）の構造を示す。図５Ｂにおいて、参照符号５１１は、ＵＬ＿ＤＣＨの１つのＵＬ＿ＤＰＣＣＨフレームを示し、各スロットは、Ｐｉｌｏｔ５２１、ＴＦＣＩ５２２、ＦＢＩ５２３、及びＴＰＣ５２４を含む。前記ＵＬ＿ＤＰＣＣＨの構造は、Ｐｉｌｏｔ５２１、ＴＦＣＩ５２２、ＦＢＩ５２３、及びＴＰＣ５２４の長さによって変化する。Ｐｉｌｏｔ５２１は、ノードＢが受信して、前記ＵＥ４１１と前記ノードＢとの間のチャネル環境の推定及び前記ＵＥ４１１から伝送される信号の強度の測定のために使用する。ＴＦＣＩ５２２は、アップリンク専用物理データチャネル（Ｕｐｌｉｎｋ Ｄｅｄｉｃａｔｅｄ Ｐｈｙｓｉｃａｌ Ｄａｔａ Ｃｈａｎｎｅｌ： 以下、ＵＬ＿ＤＰＤＣＨと称する）を通して多様なデータ伝送率を有するトランスポートチャネル（ｔｒａｎｓｐｏｒｔ ｃｈａｎｎｅｌ）の伝送を知らせるＴＦＣＩ符号語を伝送する。ＦＢＩ５２３は、送信アンテナダイバシーティ及びＳＳＤＴに関するフィードバック情報を伝送し、ＴＰＣ５２４は、前記ＵＥ４１１において、前記アクティブセット内のノードＢから信号を受信し、ダウンリンク信号電力が高いか低いかを判断することによって決定されるＴＰＣを伝送する。
【００４０】
図５Ｂに示すように、前記ＵＥ４１１は、ＵＬ＿ＤＰＣＣＨを受信するノードＢの数に関係なく、前記ＵＬ＿ＤＰＣＣＨを通して１つのＴＰＣを伝送する。従って、前記アクティブセット内のノードＢは、前記ＵＥ４１１から受信されたＴＰＣ５２４に基づいて無差別に自分の送信電力を増加させるか減少させる。さらに、前記ＵＥ４１１は、全ての受信されたＤＬ＿ＤＣＨを結合することによって、前記ダウンリンク信号電力が高いか低いかを決定する。従って、従来の技術においては、前記ＤＳＣＨを受信する前記ＵＥ４１１が前記ＳＨＯ領域に入る場合、前記ＤＳＣＨに連動する該当のノードＢからのＤＬ＿ＤＣＨが最も大きいが、前記ＤＬ＿ＤＣＨと前記アクティブセット内の他のノードＢから受信されるＤＬ＿ＤＣＨとを結合してＴＰＣ５２４を決定する。前記ＤＳＣＨを伝送するノードＢと前記ＵＥ４１１との間のチャネル環境が良好であるため、前記ＤＬ＿ＤＣＨの送信電力を増加させる必要がなくても、前記ＵＥ４１１と他のノードＢとのチャネル環境が悪いため、前記ＵＥ４１１から送信電力増加が命じられるＴＰＣが伝送されるようになる可能性がある。その後、前記ＤＳＣＨを伝送するノードＢは、前記ＵＥ４１１からのＴＰＣ５２４によって自分の送信電力を増加させるので、前記ＤＳＣＨの送信電力が過度になる。前記のような問題点を解決するために、前記ＤＳＣＨを伝送するノードＢは、一次ノードＢであるか非一次ノードＢであるかによって相違する固定したオフセットを使用するが、前記固定した電力オフセットを使用することは、依然として前記ＤＳＣＨの送信電力の過度または過小の問題を生じさせる。
【００４１】
本発明において、＜表１＞及び＜表２＞に示すＳＳＤＴ符号または相違する符号化方法によって生成された符号は、相対的な電力オフセット（Ｒｅｌａｔｉｖｅ Ｐｏｗｅｒ ｏｆｆｓｅｔ）またはＵＥによって測定されたＵＥと前記アクティブセット内のノードＢとのチャネル環境に対する情報に対応されて伝送される。図５Ａに示す前記ＦＢＩフィールドのうちＳフィールド５０１を通して前記ＤＳＣＨのみのための電力制御命令語を直接伝送する。
【００４２】
図４に戻って、前記ＵＥ４１１は、ノードＢ１（４０１）及びノードＢ２（４０３）から受信されるＣＰＩＣＨの強度及びＤＬ＿ＤＣＨの専用パイロットを測定する。次に、前記ＵＥ４１１は、相対的な電力オフセットまたは前記ＤＳＣＨの送信電力制御のためのＴＰＣ命令語をＵＬ＿ＤＰＣＣＨのＦＢＩフィールドを通してノードＢ１（４０１）に伝送する。ノードＢ２（４０３）は、前記ＵＬ＿ＤＰＣＣＨのＦＢＩフィールドを通して伝送される情報が自分と関係のない情報であるので、前記情報を無視する。前記相対的な電力オフセット情報または前記ＤＳＣＨのみのためのＴＰＣ命令語を受信すると、ノードＢ１（４０１）は、前記受信された相対的な電力オフセット情報またはＤＳＣＨのみのためのＴＰＣ命令語に基づいて前記ＤＳＣＨの送信電力を決定する。＜表１＞または＜表２＞に示すＳＳＤＴ符号語を利用して前記相対的な電力オフセット情報を伝送する場合、伝送周期は、ＳＳＤＴ符号語の長さ及び種類によって変化する。前記伝送周期は、２ビットのＦＢＩフィールドが使用される時に最小になる。＜表２＞に示すように、ショート（ｓｈｏｒｔ）ＳＳＤＴ符号語が使用される場合、全部で６ビットが伝送されるべきであり、１つのスロット当たりには２ビットが利用されるので、３つのスロットにおいて伝送される。前記伝送周期は、１ビットのＦＢＩフィールドを使用する時に最大になる。＜表１＞に示すように、ロング（ｌｏｎｇ）ＳＳＤＴ符号語が使用される場合は、全部で１５ビットが伝送されるべきであり、前記ＳＳＤＴは１つのスロット当たりに１ビットが利用されるので、１５個のスロット、つまり、１つのフレームにおいて伝送される。
【００４３】
本発明において、相対的な電力オフセットを決定するためには様々な要素が考慮されるべきである。前記要素は、図１３に示され、＜数式１＞のように表現される。
【数１】
2004511176.tif 000005
【００４４】
前記ＳＨＯ領域における前記ＤＳＣＨの送信電力は、＜数式１＞を利用して計算される。前記ＤＳＣＨを前記ＵＥ４１１に割り当てる場合、前記ＤＳＣＨの送信電力は、前記ＤＳＣＨと共に割り当てられるＤＬ＿ＤＣＨの前記ＳＨＯ領域における送信電力、前記ＳＨＯ領域における前記ＤＬ＿ＤＣＨと前記アクティブセット内の他のノードＢから受信されたＤＬ＿ＤＣＨとの結合によって発生する結合利得による電力オフセット、及び前記ＵＥ４１１と前記ＤＳＣＨを伝送するノードＢとの間のチャネル環境変化によって発生する前記ＤＬ＿ＤＣＨの送信電力の変化による電力オフセットを考慮して決定される。
【００４５】
前記ＵＥ４１１が前記ＳＨＯ領域外に位置する場合、前記ＤＳＣＨの送信電力は、前記ＤＬ＿ＤＣＨの送信電力、前記ＤＳＣＨ及び前記ＤＬ＿ＤＣＨのデータ伝送率による電力オフセット、及び前記ＤＳＣＨを伝送するノードＢと前記ＵＥ４１１との間のチャネル環境によって発生する前記ＤＬ＿ＤＣＨの送信電力変化による電力オフセットを考慮して決定される。前記ＤＬ＿ＤＣＨ送信電力の変化は、前記ＵＥ４１１から前記ノードＢに受信されるＴＰＣ命令語に基づいて決定される。
【００４６】
以下、図１３を参照して、＜数式１＞を詳細に説明する。
【００４７】
図１３は、ＤＳＣＨを伝送するノードＢの送信電力の変化を示すグラフである。さらに、図１３は、参照番号１３５０が示す時点ｔで前記ＤＳＣＨの送信電力を決定するために必要な要素を示す。図１３に示す曲線１３０２は、前記ＵＥが前記ＳＨＯ領域に位置しない時に前記ノードＢから送信されるべきＤＬ＿ＤＣＨの送信電力を示し、曲線１３１２は、前記ＵＥが前記ＳＨＯ領域に位置する時または前記ＳＨＯ領域に位置しない時に、前記ＤＳＣＨに相対的な電力オフセットが与えられた場合のＤＳＣＨの送信電力を示す。曲線１３０１は、前記ＵＥが前記ＳＨＯ領域に移動するにつれて変化する前記ノードＢからのＤＬ＿ＤＣＨの送信電力を示し、曲線１３１１は、前記ＵＥが前記ＳＨＯ領域に移動する時に相対的な電力オフセットが与えられなかった場合のＤＳＣＨの送信電力を示す。Ｏｆｆｓｅｔｄａｔａ ｒａｔｅ１３３１は、前記ＤＳＣＨ及び前記ＤＬ＿ＤＣＨのデータ伝送率の差によって発生する電力オフセットで、前記ＤＳＣＨの伝送の開始から適用される値であり、前記ノードＢにおいて計算できる。Ｏｆｆｓｅｔｄａｔａ ｒａｔｅ１３３１は、前記ＤＬ＿ＤＣＨ及び前記ＤＳＣＨのデータ伝送率が変化するにつれて変化されることができ、０乃至１８ｄＢの範囲を有する。Ｏｆｆｓｅｔｃｏｍｂｉｎｉｎｇ ｇａｉｎ１３３２は、前記ＵＥが前記ＳＨＯ領域に位置する場合に発生するＤＬ＿ＤＣＨの結合利得による電力オフセットであり、時点ｔで前記アクティブセット内のノードＢの数及び前記ノードＢから前記ＵＥに受信されるＤＬ＿ＤＣＨ間の受信電力の差によって決定され、普通０乃至３ｄＢの範囲を有する。Ｏｆｆｓｅｔｃｈａｎｎｅｌ ｅｎｖｉｒｏｎｍｅｎｔ１３３３は、時点ｔで前記ＵＥと前記ＤＳＣＨを伝送するノードＢとの間のチャネル環境の変化によって前記ＤＬ＿ＤＣＨに与えられる電力オフセットである。Ｏｆｆｓｅｔｃｈａｎｎｅｌ ｅｎｖｉｒｏｎｍｅｎｔ１３３３は、前記ＤＳＣＨを伝送するノードＢからのＣＰＩＣＨを解析するか、前記ＤＳＣＨを伝送するノードＢから前記ＵＥに伝送される前記ＤＬ＿ＤＣＨの専用パイロットを別々に解析して決定される値である。Ｏｆｆｓｅｔｃｈａｎｎｅｌ ｅｎｖｉｒｏｎｍｅｎｔ１３３３は、前記ノードＢと前記ＵＥとの間の距離に依存する値であり、前記距離の４乗に反比例する。Ｏｆｆｓｅｔｃｈａｎｎｅｌ ｅｎｖｉｒｏｎｍｅｎｔ１３３３は、前記アクティブセット内に１つのノードＢが存在する場合、つまり、前記ＵＥが前記ＳＨＯ領域に位置しなく、前記ノードＢが前記ＵＥから伝送されるＴＰＣを参照する場合は、Ｏｆｆｓｅｔｃｈａｎｎｅｌ ｅｎｖｉｒｏｎｍｅｎｔ１３３３は計算する必要がない値である。しかしながら、前記アクティブセット内に２つ以上のノードＢが存在する場合、前記ＤＳＣＨを伝送するノードＢが前記受信されたＴＰＣを前記ＤＳＣＨの送信電力の決定に使用することができないので、Ｏｆｆｓｅｔｃｈａｎｎｅｌ ｅｎｖｉｒｏｎｍｅｎｔ１３３３は、前記ＵＥが測定する信号強度の測定値に基づいて計算される。
【００４８】
曲線１３１２は、前記ＳＨＯ領域に位置する前記ＵＥに必要な適したＤＳＣＨの送信電力を示し、本発明の目的は、前記ＤＳＣＨを伝送するノードＢが前記曲線１３１２によって前記ＵＥにＤＳＣＨを伝送することができるようにすることである。従来の技術のように、相対的な電力オフセットを使用せずに前記ＵＥが前記ＳＨＯ領域に移動する場合、前記ノードＢは、曲線１３１１によって前記ＵＥに前記ＤＳＣＨを伝送する。前記曲線１３１１は、前記ＳＨＯ領域に位置する前記ＵＥに受信されるＤＬ＿ＤＣＨの送信電力を示す曲線１３０１と類似した形態を有する。前記ＵＥが前記ＳＨＯ領域に移動すると、前記ＵＥが前記ＳＨＯ領域に位置しない場合の前記ＤＬ＿ＤＣＨの送信電力を示す曲線１３０２は、柔結合によって前記曲線１３０１に変化する。
【００４９】
曲線１３０２は、前記ノードＢと前記ＵＥとの間のチャネル環境変化を反映した前記ＤＬ＿ＤＣＨ送信電力を示す。前記曲線１３０２は、ＳＨＯ領域でない場合の前記ＤＳＣＨの送信電力を決定するために使用される。
【００５０】
本発明によると、前記ＵＥは、適した相対的な電力オフセットを計算して前記ノードＢに伝送することによって、前記ノードＢが曲線１３０２によって前記ＤＳＣＨ送信電力の曲線１３１２を使用することができるようにする。前記ＤＳＣＨと前記ＤＬ＿ＤＣＨとのデータ伝送率の差によって決定されるＯｆｆｓｅｔｄａｔａ ｒａｔｅ１３３１は、ノードＢに周知の値であるので、前記ＵＥは前記ノードＢにＯｆｆｓｅｔｄａｔａ ｒａｔｅ１３３１を伝送しない。前記ＵＥは、Ｏｆｆｓｅｔｃｏｍｂｉｎｉｎｇ ｇａｉｎ１３３２及びＯｆｆｓｅｔｃｈａｎｎｅｌ ｅｎｖｉｒｏｎｍｅｎｔ１３３３のみを考慮して相対的な電力オフセット値を決定した後、ＵＬ＿ＤＰＣＣＨのＦＢＩで前記相対的な電力オフセットを伝送する。
【００５１】
Ｏｆｆｓｅｔｃｏｍｂｉｎｉｎｇ ｇａｉｎ１３３２は、前記アクティブセット内のノードＢから受信されるＤＬ＿ＤＣＨの受信電力及び前記アクティブセット内のノードＢの数に依存する。前記アクティブセット内のノードＢの数は、前記ＵＥには周知の値であり、個々のＤＬ＿ＤＣＨの受信電力も前記ＵＥにおいて計算できる値である。前記Ｏｆｆｓｅｔｃｏｍｂｉｎｉｎｇ ｇａｉｎ１３３２を計算する過程は、まず、前記アクティブセット内のノードＢの数によって決定される結合利得の最小値及び最大値を決定した後、前記アクティブセット内の各ノードＢから受信される前記ＤＬ＿ＤＣＨの受信電力を計算することによって、Ｏｆｆｓｅｔｃｏｍｂｉｎｉｎｇ ｇａｉｎ１３３２値を計算する。前記アクティブセット内のノードＢの数が２つであると仮定すると、前記２つのノードＢからのＤＬ＿ＤＣＨの結合利得は、１乃至３ｄＢの値になり、各ＤＬ＿ＤＣＨの受信電力は同一である。従って、Ｏｆｆｓｅｔｃｏｍｂｉｎｉｎｇ ｇａｉｎ１３３２値は、結合利得の最大値である３ｄＢになる。
【００５２】
Ｏｆｆｓｅｔｃｈａｎｎｅｌ ｅｎｖｉｒｏｎｍｅｎｔ１３３３は、前記ＵＥと前記ＤＳＣＨを伝送するノードＢとの間のチャネル環境によって決定される。前記チャネル環境は、前記ＵＥと前記ＤＳＣＨを伝送するノードＢとの間の距離及び多重経路によるフェーディング（ｆａｄｉｎｇ）などによって決定される。Ｏｆｆｓｅｔｃｈａｎｎｅｌ ｅｎｖｉｒｏｎｍｅｎｔ１３３３を決定する方法は多様であるが、第１に、前記ＵＥに受信されるＣＰＩＣＨの信号を利用する方法、第２に、前記ＵＥに受信されるＤＬ＿ＤＣＨの専用パイロットチャネルの信号を利用する方法、第３に、前記ＵＥに受信されるＣＰＩＣＨの信号及びＤＬ＿ＤＣＨの専用パイロットチャネル信号を共に利用する方法がある。
【００５３】
チャネル環境を決定する第１の方法において、現在ＷＣＤＭＡ標準によって、前記ＵＥが前記アクティブセット内のノードＢから受信される全てのＣＰＩＣＨ信号の強度をフレーム単位で測定してＵＴＲＡＮ（Ｕｎｉｖｅｒｓａｌ Ｍｏｂｉｌｅ Ｔｅｌｅｃｏｍｍｕｎｉｃａｔｉｏｎ Ｓｙｓｔｅｍ（ＵＭＴＳ） Ｔｅｒｒｅｓｔｒｉａｌ Ｒａｄｉｏ Ａｃｃｅｓｓ Ｎｅｔｗｏｒｋ： 以下、ＵＴＲＡＮと称する）に報告するようになっている。前記ＵＴＲＡＮは、前記ＤＳＣＨを伝送するノードＢからのＣＰＩＣＨ信号と前記ＤＳＣＨを伝送しないノードＢからのＣＰＩＣＨ信号とを比較して、前記ＤＳＣＨに対する電力オフセットを決定する。より具体的に説明すると、前記ＵＥは、フレーム毎に前記ＤＳＣＨを伝送するノードＢのＣＰＩＣＨ信号の強度を測定する。前記信号の強度が増加すると、Ｏｆｆｓｅｔｃｈａｎｎｅｌ ｅｎｖｉｒｏｎｍｅｎｔ１３３３値は減少され、前記信号の強度が減少されると、Ｏｆｆｓｅｔｃｈａｎｎｅｌ ｅｎｖｉｒｏｎｍｅｎｔ１３３３値は増加する。Ｏｆｆｓｅｔｃｈａｎｎｅｌ ｅｎｖｉｒｏｎｍｅｎｔ１３３３値の初期値は、前記ＵＥが前記ＳＨＯ領域に入る時に測定された前記ＣＰＩＣＨ信号の強度に基づいて決定される。前記初期値は、０ｄＢに設定されることができる。前記ＵＥが前記ＳＨＯ領域にとどまっている時、Ｏｆｆｓｅｔｃｈａｎｎｅｌ ｅｎｖｉｒｏｎｍｅｎｔ１３３３値はフレームレベルで測定される前記ＣＰＩＣＨ信号の強度によって変化する。例えば、前記現在測定されたＣＰＩＣＨの信号強度と１つのフレームの以前に測定された前記ＣＰＩＣＨ信号強度が１ｄＢの分だけ相違する場合、Ｏｆｆｓｅｔｃｈａｎｎｅｌ ｅｎｖｉｒｏｎｍｅｎｔ１３３３は１または０．５ｄＢ、または、その他の値に設定される。Ｏｆｆｓｅｔｃｈａｎｎｅｌ ｅｎｖｉｒｏｎｍｅｎｔ１３３３は、相違するＳＨＯ領域に対して相違する値を有し、その領域は、都心地域、副都心地域、及び郊外地域に大きく分けることができる。Ｏｆｆｓｅｔｃｈａｎｎｅｌ ｅｎｖｉｒｏｎｍｅｎｔ１３３３を決定する要素の１つである前記ＤＳＣＨを伝送するノードＢと前記ＵＥとの距離に対して、前記ＣＰＩＣＨの信号強度は、都心地域においては前記距離の４乗または５乗に反比例し、副都心においては前記距離の３乗に反比例し、郊外地域においては前記距離の２乗に反比例する。この方法において、正確性を高めるためには、前記アクティブセット内の他のノードＢからのＣＰＩＣＨ信号強度を測定して、Ｏｆｆｓｅｔｃｈａｎｎｅｌ ｅｎｖｉｒｏｎｍｅｎｔ１３３３オフセットを決定するために使用することができる。前記２つの共通パイロットチャネル信号間の差は、前記ＤＳＣＨを伝送するノードＢのＣＰＩＣＨ信号強度と前記アクティブセット内の他のノードＢからのＣＰＩＣＨ信号強度の最も大きい信号強度との差として定義される。前記ＣＰＩＣＨ信号強度の差を利用してＯｆｆｓｅｔｃｈａｎｎｅｌ ｅｎｖｉｒｏｎｍｅｎｔ１３３３を決定する方法の例は、＜表３＞のようである。
【表３】
2004511176.tif 000006
【００５４】
＜表３＞は、ＣＰＩＣＨ信号強度の差を利用してＯｆｆｓｅｔｃｈａｎｎｅｌ ｅｎｖｉｒｏｎｍｅｎｔを決定する方法を示す。＜表３＞において、現在のＣＰＩＣＨ信号強度差が以前のＣＰＩＣＨ信号強度差より増加したことは、前記ＵＥと前記ＤＳＣＨを伝送するノードＢとの間の距離が遠くなるか、前記ＵＥによって測定される前記アクティブセット内の他のノードＢのＣＰＩＣＨ信号強度が変化したことを意味する。前記ＤＳＣＨを伝送するノードＢのＣＰＩＣＨ信号強度が減少した場合、前記ＵＥは以前のフレームで適用したＯｆｆｓｅｔｃｈａｎｎｅｌ ｅｎｖｉｒｏｎｍｅｎｔ１３３３値より大きいオフセットを使用する。前記ＤＳＣＨを伝送するノードＢのＣＰＩＣＨ信号強度が変化しない場合、前記ＤＳＣＨを伝送しないノードＢのＣＰＩＣＨ信号強度が変化したことを意味する。前記ＤＳＣＨを伝送しないノードＢのＣＰＩＣＨ信号強度が変化したことは、前記ＤＳＣＨの送信電力の設定に関係ないので、以前のフレームで適用したＯｆｆｓｅｔｃｈａｎｎｅｌ ｅｎｖｉｒｏｎｍｅｎｔ１３３３値をそのまま適用する。
【００５５】
前述した方法において、Ｏｆｆｓｅｔｃｈａｎｎｅｌ ｅｎｖｉｒｏｎｍｅｎｔ１３３３の初期値は、前記ＵＥが前記ＳＨＯ領域に最初に入る時に測定された値になることができる。この場合、前記初期値は０ｄＢに設定される。
【００５６】
Ｏｆｆｓｅｔｃｈａｎｎｅｌ ｅｎｖｉｒｏｎｍｅｎｔ１３３３を決定する第２方法によると、前記ＵＥに受信されるＤＬ＿ＤＣＨの専用パイロット信号の強度を測定して使用する。
【００５７】
前記第１方法において、信号の測定周期が１つのフレームであるので、チャネル環境の速い変化に効果的に適応するには限界がある。チャネル環境の変化を速く反映する必要があり、ＳＳＤＴ符号の更新周期が短い場合、ＤＬ＿ＤＣＨの専用パイロット信号の強度が測定される。この方法は、前記第１方法と同様に遂行される。つまり、前記ＤＳＣＨを伝送するノードＢからの前記ＤＬ＿ＤＣＨの専用パイロット信号の強度が増加すると、前記以前のフレームで適用したＯｆｆｓｅｔｃｈａｎｎｅｌ ｅｎｖｉｒｏｎｍｅｎｔ１３３３より小さいオフセットを使用し、前記ＤＬ＿ＤＣＨの専用パイロット信号の強度が減少すると、前記以前のフレームで適用したＯｆｆｓｅｔｃｈａｎｎｅｌ ｅｎｖｉｒｏｎｍｅｎｔ１３３３より大きいオフセットを使用する。第２の方法においても信頼度を高めるためには、前記アクティブセット内の他のノードＢから受信されたＤＬ＿ＤＣＨの専用パイロット信号の強度を前記第１の方法における方式と同一の方式で使用することができる。
【００５８】
Ｏｆｆｓｅｔｃｈａｎｎｅｌ ｅｎｖｉｒｏｎｍｅｎｔ１３３３を決定する第３方法は、前記２つの方法の前記アクティブセット内のノードＢのＣＰＩＣＨ信号とＤＬ＿ＤＣＨの専用パイロット信号とを両方とも利用する方法である。前記第１方法は、チャネル環境の変化がわずかであるが、ＳＳＤＴ符号の更新周期が長い場合に適する方法であり、前記第２方法は、チャネル環境の変化が大きいか、ＳＳＤＴ符号の更新周期が短い場合に適する方法である。前記第３方法は、前記２つの方法の長所を組み合わせて使用する。
【００５９】
前記第３方法の理解を容易にするために、ＳＳＤＴ符号が１０ビットであり、ＦＢＩフィールドのＤフィールドが２ビットであり、相対的な電力オフセットの更新周期が５スロットであると仮定する。前記第３方法において、前記ＵＥは、５スロットの各スロットにおいてＤＬ＿ＤＣＨの信号強度を測定する。前記ＵＥは、最近の測定値に最も高い加重値を適用してＯｆｆｓｅｔｃｈａｎｎｅｌ ｅｎｖｉｒｏｎｍｅｎｔ１３３３を計算した後、相対的なパワーオフセットを計算する。前記ＵＥは、前記相対的な電力オフセットを次の５スロットにわたってＤＳＣＨを伝送するノードＢに伝送する。前記相対的な電力オフセットを２回伝送した後、前記ＵＥは、ＣＰＩＣＨ信号の強度に基づいて決定されたＯｆｆｓｅｔｃｈａｎｎｅｌ ｅｎｖｉｒｏｎｍｅｎｔ１３３３を持って前記相対的な電力オフセットを決定して前記ＤＳＣＨを伝送するノードＢに伝送する。この動作の目的は、前記ＤＬ＿ＤＣＨを通して伝送される専用パイロットビット数が前記ＣＰＩＣＨのビット数より少ないため、実際チャネル環境が十分反映されない場合を考慮して、前記相対的なパワーオフセットを補正することである。
【００６０】
前記ＣＰＩＣＨを使用して電力オフセットを補正する周期は、前記ＵＥと前記ノードＢの上位階層との間の約束によって設定されることができる。
【００６１】
前記ＤＳＣＨに対する相対的な電力オフセットを決定するために使用するために前記ＵＥから前記ＤＳＣＨを伝送するノードＢに伝送される実際オフセット値は、１３３２オフセットとＯｆｆｓｅｔｃｈａｎｎｅｌ ｅｎｖｉｒｏｎｍｅｎｔ１３３３との合計値である。前記合計値を前記ＤＳＣＨの送信電力を設定するためのＤＳＣＨ送信電力オフセットとして定義すると、前記ＤＳＣＨ送信電力オフセットは＜表４＞のように設定される。
【表４】
2004511176.tif 000007
【００６２】
＜表４＞は、１ビットＦＢＩに使用されるショートＳＳＤＴ符号に対するＤＳＣＨ送信電力オフセットを示す。前記ＤＳＣＨ送信電力オフセットは、結合利得に関連した１〜３ｄＢのオフセット及びチャネル環境変化に関連したオフセットを考慮して決定される。Ｏｆｆｓｅｔｃｏｍｂｉｎｉｎｇ ｇａｉｎ１３３２とＯｆｆｓｅｔｃｈａｎｎｅｌ ｅｎｖｉｒｏｎｍｅｎｔ１３３３との合計値を四捨五入した後、＜表４＞に示す８つのオフセット値のうち、最も近い値を選択する。前記ノードＢは、前記ＤＳＣＨの送信電力オフセットをＤＳＣＨ送信電力更新周期の間に使用することができる。前記ノードＢは、１番目のＤＳＣＨスロットの伝送において初期値として前記ＤＳＣＨの送信電力オフセットを使用した後、次のスロットからは前記ＵＥから受信されたＴＰＣに基づいて前記ＤＳＣＨの送信電力を調節する。
【００６３】
前記ＤＳＣＨの送信電力の決定のために使用される前記相対的な電力オフセット値を伝送する方法において、従来のＳＳＤＴ符号を使用する方法の以外に、（ｎ，３）符号及び（ｎ，４）符号のような別の符号を使用する方法を利用することができる。
【００６４】
前記（ｎ，３）符号を利用する場合、３は、相対的な電力オフセット値を表現する入力情報ビットを示し、ｎは、符号の長さを示す。前記（ｎ，３）符号は、ブロック符号（ｂｌｏｃｋ ｃｏｄｅ）であり、相対的な電力オフセット値を８つのレベルで調節することができ、チャネル状況、ＦＢＩの長さ、及び相対的な電力オフセットの周期によってｎを調節することができる。（ｎ，３）符号は、長さｎに対して常に最適の性能を有する。
【００６５】
以下、相対的な電力オフセット値を伝送するために使用される（ｎ，３）符号の生成方法を詳細に説明する。
【００６６】
図１４は、本発明によって（ｎ，３）符号及び（ｎ，４）符号を生成する符号器（ｅｎｃｏｄｅｒ）の示すブロック図である。
【００６７】
シンプレックス符号器（ｓｉｍｐｌｅｘ ｃｏｄｅｒ）１４０１は、シンプレックス符号語を生成する。前記シンプレックス符号語は、（ｍ×ｍ）１次リードマラー（Ｒｅｅｄ Ｍｕｌｌｅｒ）符号の第１列を穿孔（ｐｕｎｃｔｕｒｉｎｇ）することで生成される。（２ｋ−１，ｋ）シンプレックス符号語は、（２ｋ，ｋ）１次リードマラー符号から生成される。（ｎ，３）符号を生成するためには、（７，３）シンプレックス符号語が必要である。＜表５＞には、（８，３）１次リードマラー符号及び前記１次リードマラー符号の符号シンボルである前記第１列を穿孔することで生成される（７，３）シンプレックス符号語が記載されている。
【表５】
2004511176.tif 000008
【００６８】
＜表５＞に示すように１次リードマラー符号からシンプレックス符号を生成する前記シンプレックス符号器１４０１を図１６を参照して説明する。図１６に示す前期シンプレックス符号器は、＜表５＞に含まれた情報を貯蔵するメモリに替えることができる。
【００６９】
図１６は、本発明によって（７，３）シンプレックス符号を生成する前記シンプレックス符号器を示すブロック図である。
【００７０】
図１６において、１次リードマラーベーシス（ｂａｓｉｓ）符号発生器１６０１は、前記１次リードマラー符号Ｗ０乃至Ｗ７を生成するために使用される１次リードマラーベーシス符号Ｗ１、Ｗ２、及びＷ４を生成する。前記符号Ｗ１、Ｗ２、及びＷ４の最左側の符号ビット“０”は穿孔される。前記穿孔された１次リードマラー符号を使用する理由は、シンプレックス符号語の生成を容易にするためである。乗算器１６１１、１６１２、１６１３は、入力情報ビット（ａ０，ａ１，ａ２）と最左側の符号ビットが穿孔されたＷ１、Ｗ２、及びＷ４とを乗算することによって、穿孔されたＷｊ（ｊ＝０，１，…，７）符号を生成するために必要な前記穿孔された１次リードマラーベーシス符号の一部を選択する機能をする。
【００７１】
例えば、前記入力情報ビット（ａ０，ａ１，ａ２）が二進数“１０１”である場合、前記乗算器１６１１、１６１２、１６１３は、前記穿孔された１次リードマラーベーシス符号のうちＷ４及びＳ１を選択して、前記入力情報ビットが示す十進数“５”に対応するＷ５を生成する。合計器（ｓｕｍｍｅｒ）１６０５は、前記選択された１次リードマラーベーシス符号を合計して、前記入力情報ビットに対応する１次リードマラー符号を生成する。
【００７２】
図１４を参照すると、前記シンプレックス符号器１４０１は、前記（７，３）シンプレックス符号をインターリーバ（ｉｎｔｅｒｌｅａｖｅｒ）１４０２に出力する。前記インターリーバ１４０２は、所定のインターリービングパターンによって前記（７，３）シンプレックス符号を列置換（ｃｏｌｕｍｎ ｐｅｒｍｕｔａｔｉｏｎ）する。前記（７，３）シンプレックス符号は、前記列置換によって、特定の形態を有し、前記特定の形態によって、ｎ符号シンボルが繰り返されても長さｎに対する最適の符号になる。つまり、前記（７，３）シンプレックス符号は、前記列置換によって最適の符号語に変換される。
【００７３】
（ｎ，３）符号を生成するために、＜数式２＞のように列置換が遂行される。
【数２】
2004511176.tif 000009
ここで、Ｓｊ（ｊ＝１，２，…，７）は、前記（７，３）シンプレックス符号のｊ番目のシンボルを示す。前記列置換されて再配列されたシンプレックス符号は、長さｎの分だけ分割して使用しても、長さｎに対して最適の性能を有する。前記列置換は、長さｎに対して最適の加重値分布（Ｗｅｉｇｈｔ Ｄｉｓｔｒｉｂｕｔｉｏｎ）を有するように、入力されたシンプレックス符号を再配列する過程である。
【００７４】
前記列置換されたシンプレックス符号は、反復器（ｒｅｐｅａｔｅｒ）１４０３に入力される。前記反復器１４０３は、前記列置換された（７，３）シンプレックス符号を制御器１４０４の制御下で繰り返す。前記制御器１４０４は、ｎによって繰り返されるｎ個のシンプレックス符号を出力するように前記反復器１４０３を制御する。
【００７５】
前記反復器１４０３及び前記制御器１４０４の動作に対する理解を容易にするために、（７，３）シンプレックス符号から（１０，３）符号を生成する過程の一例を説明する。
【００７６】
前記反復器１４０３は、前記列置換された（７，３）シンプレックス符号をＳ１，Ｓ２，Ｓ４，Ｓ７，Ｓ３，Ｓ５，Ｓ６，Ｓ１，Ｓ２，Ｓ４，Ｓ７，Ｓ３，Ｓ５，Ｓ６，…の順によって反復し、前記制御器１４０４は、ｎ＝１０によってＳ１，Ｓ２，Ｓ４，Ｓ７，Ｓ３，Ｓ５，Ｓ６，Ｓ１，Ｓ２，Ｓ４のみを出力するように前記反復器１４０３を制御する。
【００７７】
図１５は、本発明によって（ｎ，３）符号及び（ｎ，４）符号を復号する復号装置のブロック図である。
【００７８】
図１５を参照すると、図１４に示す前記反復器１４０３から出力された（ｎ，３）符号は、累積器１５０１に入力される。前記累積器１５０１は、制御器１５０２の制御下で動作する。前記制御器１５０２は、前記符号器から受信された符号が（ｎ，３）符号である場合、前記入力（ｎ，３）符号シンボルを７つのシンボル単位に分割し、前記反復されたシンボルを累積するように前記累積器１５０１を制御する。前記累積器１５０１は、前記累積された（ｎ，３）符号を（７，３）シンプレックス符号に変換する。デインターリーバ（ｄｅｉｎｔｅｒｌｅａｖｅｒ）１５０３は、＜数式３＞のようなデインターリービングパターンによって、前記（７，３）シンプレックス符号を逆に列置換することで前記（７，３）シンプレックス符号を元の符号シンボルの順に回復させる。
【数３】
2004511176.tif 000010
【００７９】
前記回復された（７，３）シンプレックス符号は、ゼロ挿入器（ｚｅｒｏ ｉｎｓｅｒｔｅｒ）１５０４に入力される。前記ゼロ挿入器１５０４は、前記デインターリーバ１５０３から受信された前記（７，３）シンプレックス符号の最左側の符号シンボルの前に０を挿入して、前記逆列置換された（７，３）シンプレックス符号を（８，３）１次リードマラー符号に変換する。
【００８０】
逆高速アダマール変換器（Ｉｎｖｅｒｓｅ Ｆａｓｔ Ｈａｄａｍａｒｄ Ｔｒａｎｓｆｏｒｍｅｒ： 以下、ＩＦＨＴと称する）１５０５は、前記（８，３）１次リードマラー符号に対する逆高速アダマール変換を通して、前記（８，３）１次リードマラー符号を前記入力された情報ビット（ａ０，ａ１，ａ２）に復号する。前記逆高速アダマール変換は、１次リードマラー符号を速く復号し、前記１次リードマラー符号を復号するハードウェアの構造の複雑性を低減するという長所がある。
【００８１】
（ｎ，４）符号を利用して前記相対的な電力オフセット値を伝送する方法において、４は、相対的な電力オフセット値を表示する入力情報ビットの数であり、ｎは、符号の長さである。前記（ｎ，４）符号は、ブロック符号（ｂｌｏｃｋ ｃｏｄｅ）であり、相対的な電力オフセット値を１６レベルで調節し、チャネル状況、ＦＢＩの長さ、及び相対的な電力オフセット周期によってｎを調節することができる。（ｎ，４）符号は、長さｎに対して常に最適の性能を有するブロック符号になる。
【００８２】
以下、図１４を参照して（ｎ，４）符号の生成方法を説明する。
【００８３】
前記シンプレックス符号器１４０１はシンプレックス符号語を生成する。前記シンプレックス符号語は、前記第１列を穿孔することによって（ｍ×ｍ）１次リードマラー符号から生成される。（２ｋ−１，ｋ）シンプレックス符号は、（２ｋ，ｋ）１次リードマラー符号から生成される。ｎ ｍｏｄ １５＝５である場合、（ｎ，４）符号は、長さｎの最適の符号と最小距離が１の分だけ相違する。ｎ ｍｏｄ １５＝５（つまり、ｎ＝５、２０、３５、５０、…）でない場合は、（ｎ，４）符号は、長さｎに対して最適の性能を示す。
【００８４】
【表６】
2004511176.tif 000011
図１７を参照して、＜表６＞に示すように１次リードマラー符号からシンプレックス符号語を生成する前記シンプレックス符号器１４０１に関して説明する。本発明において、（１５，４）シンプレックス符号を生成するシンプレックス符号器を図１７のように別に提供しているが、前記シンプレックス符号器は、＜表６＞に示す前記（１５，４）シンプレックス符号を貯蔵するメモリに替えることができる。
【００８５】
図１７は、本発明によって（１５，４）シンプレックス符号を生成する前記シンプレックス符号器のブロック図である。
【００８６】
１次リードマラーベーシス符号発生器１７０１は、１次リードマラーベーシス符号Ｗ０乃至Ｗ１５の生成に使用される１次リードマラーベーシス符号Ｗ１、Ｗ２、Ｗ４、及びＷ８を発生する。前記符号Ｗ１、Ｗ２、Ｗ４、及びＷ８の最左側の符号ビット“０”は穿孔される。前記穿孔された１次リードマラー符号を使用する理由は、シンプレックス符号語の生成を容易にすることである。乗算器１７１１乃至１７１４は、入力情報ビット（ａ０，ａ１，ａ２，ａ３）と前記最左側の符号ビットが穿孔されたＷ１、Ｗ２、Ｗ４、及びＷ８とを乗算して、穿孔された符号Ｗｊ（ｊ＝０、１、…、１５）を生成するために必要な前記穿孔された１次リードマラーベーシス符号の一部を選択する。例えば、前記入力情報ビット（ａ３，ａ２，ａ１，ａ０）が二進数“１００”である場合、前記乗算器１７１１乃至１７１４は、前記穿孔された１次リードマラーベーシス符号のうちＷ８及びＷ１を選択して、前記入力情報ビットによって示される十進数“９”に対応するＷ９を生成する。合計器１７０５は、前記選択された１次リードマラー符号を合計して、前記入力情報ビットに対応する１次リードマラー符号を生成する。
【００８７】
図１４に戻ると、前記シンプレックス符号器１４０１は、前記（１５，４）シンプレックス符号を前記インターリーバ１４０２に出力する。前記インターリーバ１４０２は、前記（１５，４）シンプレックス符号を列置換する。前記列置換によって、前記（１５，４）シンプレックス符号は、特定の形態を有するようになり、前記特定の形態は、ｎ符号シンボルが反復されても長さｎに対して最適の性能を有するようにする。
【００８８】
前記インターリーバ１４０２は、＜数式４＞のデインターリービングパターンによって、前記（ｎ，４） シンプレックス符号語を生成するための列置換を遂行する。
【数４】
2004511176.tif 000012
【００８９】
ｎ ｍｏｄ １５＝５である場合を除いて、ｎに対して最適の性能を有する（ｎ，４）符号を列置換によって生成することができ、Ｎ ｍｏｄ １５＝５である場合は、長さｎの最適の符号と最小距離が１の分だけ相違する（ｎ，４）符号を生成する。
【００９０】
前記列置換されたシンプレックス符号は、前記反復器１４０３に入力される。前記反復器１４０３は、前記列置換された（１５，４）シンプレックス符号を前記制御器１４０４の制御下で繰り返す。前記制御器１４０４は、ｎによって反復されたシンプレックス符号をｎ個の分だけ出力するように前記反復器１４０３を制御する。
【００９１】
前記（ｎ，４）に関する前記反復器１４０３及び前記制御器１４０４の動作の理解を容易にするために、（１５，４）シンプレックス符号から（２０，４）符号を生成する過程を一例として説明する。前記反復器１４０３は、前記列置換された（１５，４）シンプレックス符号をＳ１，Ｓ２，Ｓ４，Ｓ８，Ｓ１４，Ｓ１３，Ｓ１１，Ｓ７，Ｓ５，Ｓ３，Ｓ１２，Ｓ１０，Ｓ１５，Ｓ９，Ｓ６，Ｓ１，Ｓ２，Ｓ４，Ｓ８，Ｓ１４，Ｓ１３，Ｓ１１，Ｓ７，Ｓ５，Ｓ３，Ｓ１２，Ｓ１０，Ｓ１５，Ｓ９，Ｓ６．．．の順に反復し、前記制御器１４０４は、ｎ＝２０によってＳ１，Ｓ２，Ｓ４，Ｓ８，Ｓ１４，Ｓ１３，Ｓ１１，Ｓ７，Ｓ５，Ｓ３，Ｓ１２，Ｓ１０，Ｓ１５，Ｓ９，Ｓ６，Ｓ１，Ｓ２，Ｓ４，Ｓ８，Ｓ１４，のみを出力するように前記反復器１４０３を制御する。
【００９２】
図１５を参照して、前記（ｎ，４）符号を復号する過程を説明する。
【００９３】
復号過程において、図１４に示す前記反復器１４０３から出力された（ｎ，４）符号は、前記累積器１５０１に入力される。前記累積器１５０１は、制御器１５０２の制御下で動作する。前記制御器１５０２は、前記（ｎ，４）符号シンボルを１５個のシンボル単位に分割し、前記反復されたシンボルを累積するように前記累積器１５０１を制御する。前記累積器１５０１は、前記累積された（ｎ，４）符号を（１５，４）シンプレックス符号に変換する。前記デインターリーバ１５０３は、＜数式５＞のようなデインターリービングパターンによって、前記（１５，４）シンプレックス符号を逆に列置換することで、前記（１５，４）シンプレックス符号を元の符号シンボルの順に回復させる。
【数５】
2004511176.tif 000013
【００９４】
前記回復された（１５，４）シンプレックス符号は、前記ゼロ挿入器１５０４に出力される。前記ゼロ挿入器１５０４は、前記デインターリーバ１５０３から受信された前記（１５，４）シンプレックス符号の最左側の符号シンボルの前に０を挿入することで、前記逆列置換された（１５，４）シンプレックス符号を（１６，４） １次リードマラー符号に変換する。ＩＦＨＴ１５０５は、前記（１６，４）１次リードマラー符号に対する逆高速アダマール変換を通して、前記（１６，４）１次リードマラー符号を前記入力情報ビット（ａ０，ａ１，ａ２，ａ３）に復号する。前記逆高速アダマール変換は、１次リードマラー符号を速く復号し、前記１次リードマラー符号を復号するためのハードウェア構造の複雑性を低減するという長所がある。
【００９５】
以下、本発明によって（ｎ，３）シンプレックス符号及び（ｎ，４）シンプレックス符号の両方を生成するシンプレックス符号器に関して説明する。前記（ｎ，３）符号及び（ｎ，４）符号は、前記ＵＥに伝送される前記ＤＳＣＨの送信電力の相対的なパワーオフセットのレベルに適用されることができる。相対的なパワーオフセットレベルの数が少なくても構わない場合は（ｎ，３）符号を使用し、前記相対的な電力オフセットレベルの数が多く設定されるべき場合は（ｎ，４）符号を使用する。前記（ｎ，３）符号及び（ｎ，４）符号のうちどの符号を使用するかを判断する根拠はいくつかがある。前記判断の根拠の一つとして、前記ＵＥが前記ＳＨＯ領域に位置する時の前記アクティブセット内のノードＢの数がある。前記（ｎ，３）符号は、前記アクティブセット内のノードＢの数が少ない時に使用され、前記（ｎ，４）符号は、前記アクティブセット内のノードＢの数が多い時に選択される。
【００９６】
図１４を参照すると、前記シンプレックス符号器１４０１は、シンプレックス符号語を生成する。前記シンプレックス符号語は、前記第１列を穿孔することで、（ｍ×ｍ）１次リードマラー符号から生成される。（２ｋ，ｋ）１次リードマラー符号から（２ｋ−１，ｋ）シンプレックス符号語が生成される。（ｎ，３）符号及び（ｎ，４）符号を生成するためには、それぞれ（７，３）シンプレックス符号及び（１５，４）シンプレックス符号を必要とする。前記（ｎ，３）符号器のために使用された＜表５＞は、（８，３）１次リードマラー符号を示し、前記（ｎ，３）符号及び前記（ｎ，４）符号の両方が生成できる符号器でも使用される。＜表５＞において、第１列を穿孔することで、（７，３）シンプレックス符号語が生成される。
【００９７】
前記（ｎ，４）符号器のために使用された＜表６＞は、（１５，３）１次リードマラー符号を示し、（ｎ，３）符号及び（ｎ，４）符号の両方が生成できる符号器でも使用される。＜表６＞において、第１列を穿孔することで、（１５，４）シンプレックス符号語が生成される。
【００９８】
図１８において、＜表５＞及び＜表６＞に示す前記１次リードマラー符号から前記シンプレックス符号を生成する前記符号器を示す。図１８のように別に前記符号器を提供することもできるが、＜表５＞及び＜表６＞に含まれる情報を貯蔵するメモリに替えることもできる。
【００９９】
図１８を参照すると、１次リードマラーベーシス符号発生器１８０１は、１次リードマラー符号Ｗ０乃至Ｗ１５を生成するために使用される１次リードマラーベーシス符号Ｗ１、Ｗ２、Ｗ４、及びＷ８を発生する。前記符号Ｗ１、Ｗ２、Ｗ４、及びＷ８の最左側符号ビット“０”は穿孔される。前記穿孔された１次リードマラー符号を使用する理由は、シンプレックス符号語の生成を容易にすることである。Ｗ８は、（ｎ，４）符号を生成するために前記（ｎ，３）符号発生器に追加に使用される。乗算器１８１１乃至１８１４は、入力情報ビット（ａ０，ａ１，ａ２，ａ３）と前記最左側符号ビットが穿孔された前記符号Ｗ１、Ｗ２、Ｗ４、及びＷ８とを乗算して、穿孔された符号Ｗｊ（ｊ＝０、１、…、１５）を生成するために必要な前記穿孔された１次リードマラーベーシス符号の一部を選択する。
【０１００】
例えば、前記入力情報（ａ３，ａ２，ａ１，ａ０）が二進数“１１０１”である場合、前記乗算器１８１１乃至１８１４は、前記穿孔された１次リードマラーベーシス符号のうちＷ８、Ｗ４、及びＷ１を選択して、前記入力情報ビットによって示される十進数“１３”に対応するＷ１３を生成する。スイッチ１８０３は、前記（ｎ，４）符号を生成するために使用される。つまり、前記（ｎ，３）符号が生成される時、前記スイッチ１８０３は開状態になる。前記合計器１８０５は、前記選択された１次リードマラーベーシス符号を合計することによって、前記入力情報ビットに対応する１次リードマラー符号を生成する。
【０１０１】
図１４を参照すると、前記シンプレックス符号は、前記インターリーバ１４０２に入力される。前記インターリーバ１４０２は、特定のインターリービングパターンによって前記シンプレックス符号を列置換する。前記列置換によって、前記シンプレックス符号語は、特定の形態を有するようになり、前記特定の形態は、ｎ個の符号シンボルが反復されても長さｎに対して最適の性能を有するようにする。前記（ｎ，３）符号を生成するためには、前記インターリーバ１４０２において＜数式６＞のインターリービングパターンによって列置換を遂行する。
【数６】
2004511176.tif 000014
【０１０２】
前記列置換は、入力されたシンプレックス符号を加重値分布によって再配列する過程である。前記置換された、つまり、再配列されたシンプレックス符号は、長さｎの分だけ切って使用しても、長さｎに対して最適の性能を示す。前記インターリーバ１４０２は、（ｎ，４）符号を生成するために、＜数式７＞のインターリービングパターンによって列置換を遂行する。
【数７】
2004511176.tif 000015
【０１０３】
Ｎ ｍｏｄ １５＝５（つまり、ｎ＝５、２０、３５、５０、…）である場合を除いて、列置換によって、ｎに対して最適の性能を有する（ｎ，４）符号を生成することができる。Ｎ ｍｏｄ １５＝５である場合は、長さｎの最適の符号と最小距離が１の分だけ相違する（ｎ，４）符号を生成する。
【０１０４】
前記列置換された（７，３）または（１５，４）シンプレックス符号は、前記反復器１４０３に入力される。前記反復器１４０３は、前記列置換された（７，３）または（１５，４）シンプレックス符号を前記制御器１４０４の制御下で繰り返す。前記制御器１４０４は、ｎによって反復されたｎ個のシンプレックス符号を出力するように前記反復器１４０３を制御する。
【０１０５】
前記反復器１４０３及び前記制御器１４０４の動作に関する理解を容易にするために、前記列置換された（７，３）シンプレックス符号から（１５，３）符号を生成する過程を一例として説明する。前記反復器１４０３は、前記列置換された（７，３）シンプレックス符号をＳ１，Ｓ２，Ｓ４，Ｓ７，Ｓ３，Ｓ５，Ｓ６，Ｓ１，Ｓ２，Ｓ４，Ｓ７，Ｓ３，Ｓ５，Ｓ６， ． ． ．の順に繰り返し、前記制御器１４０４は、ｎ＝１５によってＳ１，Ｓ２，Ｓ４，Ｓ７，Ｓ３，Ｓ５，Ｓ６，Ｓ１，Ｓ２，Ｓ４，Ｓ７，Ｓ３，Ｓ５，Ｓ６，Ｓ１のみを出力するように前記反復器１４０３を制御する。
【０１０６】
前記符号器から生成される前記（ｎ，３）符号及び前記（ｎ，４）符号は、前記復号装置に入力される。以下、前記復号動作を説明する。
【０１０７】
復号過程において、図１４に示す前記反復器１４０３から出力された（ｎ，３）符号または（ｎ，４）符号は、前記累積器１５０１に入力される。前記累積器１５０１は、前記制御器１５０２の制御下で動作する。前記制御器１５０２は、前記（ｎ，３）符号及び前記（ｎ，４）符号のうち、どの符号が使用されたかを判断する。前記（ｎ，３）符号が使用された場合、前記制御器１５０２は、前記（ｎ，３）符号シンボルを７つのシンボル単位に分割し、前記反復されたシンボルを累積するように前記累積器１５０１を制御する。前記（ｎ，４）符号が使用された場合、前記制御器１５０２は、前記（ｎ，４）符号シンボルを１５個のシンボル単位で分割し、前記反復されたシンボルを累積するように前記累積器１５０１を制御する。前記累積器１５０１は、前記累積された（ｎ，４）符号または（ｎ，３）符号を（１５，４）シンプレックス符号または（７，３）シンプレックス符号に変換する。デインターリーバ１５０３は、列置換を逆に遂行することによって前記（１５，４）シンプレックス符号または（７，３）シンプレックス符号を元の符号シンボルの順に回復させ、前記回復された（１５，４）シンプレックス符号または（７，３）シンプレックス符号を前記ゼロ挿入器１５０４に出力する。
【０１０８】
前記（７，３）符号は、＜数式８＞のようなパターンによって逆に列置換される。
【数８】
2004511176.tif 000016
前記（１５，４）符号は、＜数式９＞のようなパターンによって逆に列置換される。
【数９】
2004511176.tif 000017
【０１０９】
前記ゼロ挿入器１５０４は、前記デインターリーバ１５０３から受信された前記シンプレックス符号の最左側の符号シンボルの前に０を挿入することで、前記逆列置換された（１５，４）または（７，３）シンプレックス符号を１次リードマラー符号に変換する。
【０１１０】
前記ＩＦＨＴ１５０５は、逆高速アダマール変換を通して、（１６，４）または（８，３）１次リードマラー符号を前記入力情報ビットに復号する。前記逆高速アダマール変換は、１次リードマラー符号を速く復号し、前記１次リードマラー符号を復号するためのハードウェア構造の複雑性も低減するという長所がある。
【０１１１】
ＤＳＣＨの送信電力を決定する場合に使用される相対的な電力オフセット値を伝送する方法以外に、前記ＵＥがＵＬ＿ＤＰＣＣＨのＦＢＩフィールドにおいて前記ＤＳＣＨのためのＴＰＣ命令を直接前記ノードＢに伝送することもできる。前記ＴＰＣ命令の決定基準は、Ｏｆｆｓｅｔｃｈａｎｎｅｌ ｅｎｖｉｒｏｎｍｅｎｔ１３３３を決定する時に使用される前記ＣＰＩＣＨの信号強度、前記ＣＰＩＣＨ間の信号強度の差、専用パイロットチャネルの信号強度、専用パイロットチャネル間の信号強度の差を含む。前記ＤＳＣＨのためのＴＰＣは、スロット毎に伝送されることができ、複数のスロットに分けて伝送されることもできる。前記複数のスロットに分けて伝送される場合において、前記ＴＰＣは、前記ＦＢＩフィールドに前記ＴＰＣを伝送する時にエラーが発生することを防止するために別々に符号化される。前記符号は、既存のＳＳＤＴ ＩＤ符号または他の符号になることができる。前記ＴＰＣは、ＴＰＣが受信された時点の前記ＤＳＣＨの送信電力に適用される。前記ＴＰＣを直接伝送する方法において、前記ＵＥが前記ＤＳＣＨの受信に失敗した場合、電力制御ループが停止される可能性がある。次に、前記ノードＢに相対的な電力オフセットを伝送することで、前記ノードＢは、前記ＵＥに初期電力が設定された前記ＤＳＣＨの伝送を開始することができる。
【０１１２】
前記ＤＳＣＨの送信電力を決定するために、前記相対的な電力オフセット伝送方法及び前記ＴＰＣを直接伝送する方法以外に、ＤＬ＿ＤＣＨに関連したＴＰＣを使用ことができる。
【０１１３】
ＤＬ＿ＤＣＨに関連したＴＰＣを利用する方法には２つがある。
【０１１４】
前記ＵＥが前記ＳＨＯ領域に位置する場合、前記ＵＥは、ＤＬ＿ＤＣＨ及びＤＳＣＨのためのＴＰＣを区別して伝送する。ＷＣＤＭＡ標準によると、前記ＵＥは、１秒に１５００のＴＰＣを伝送する。前記ＵＥが前記ＤＳＣＨを受信し、かつ、前記ＳＨＯ領域に位置する場合、前記１５００のＴＰＣの一部は、前記アクティブセット内の各ノードＢからのＤＬ＿ＤＣＨの電力制御のために使用され、その他のＴＰＣは、前記ＤＳＣＨの電力制御のために使用される。前記ＤＳＣＨに関連したＴＰＣは、前記ＤＳＣＨを伝送しないノードＢには無用である。例えば、前記ＤＬ＿ＤＣＨには１０００のＴＰＣが割り当てられ、前記ＤＳＣＨには５００のＴＰＣが割り当てられる。一例として、前記ＤＬ＿ＤＣＨに関連したＴＰＣは、２回に分けて伝送され、前記ＤＳＣＨに関連したＴＰＣは、１回に伝送される。前記ＤＳＣＨに幾つのＴＰＣを割り当てるかは、前記ＤＳＣＨの送信電力の制御の正確さに依存し、その決定は、前記ＵＥまたは前記ＵＴＲＡＮの上位階層によって遂行される。
【０１１５】
前記ＤＳＣＨの送信電力を決定するために使用される前記ＤＬ＿ＤＣＨに関連するＴＰＣを利用する第２方法において、前記アクティブセット内の全てのノードＢからのＤＬ＿ＤＣＨの送信電力は能動的に管理される。
【０１１６】
本発明の説明の便宜上、前記アクティブセット内のノードＢが４つであると仮定する。前記ＤＳＣＨを伝送するノードＢはノードＢ＃０で、その他のノードＢは、ノードＢ＃５、ノードＢ＃６、ノードＢ＃７であり、前記ＤＳＣＨを受信する前記ＵＥはＵＥ＃１である。
【０１１７】
前記ＵＥ＃１は、ノードＢ＃０、ノードＢ＃５、ノードＢ＃６、及びノードＢ＃７からＤＬ＿ＤＣＨを受信して合成した後、前記アクティブセット内の４つのノードＢに対するＤＬ＿ＤＣＨの送信電力を制御するＴＰＣを生成する。さらに、前記ＵＥ＃１は、前記ノードＢ＃０、ノードＢ＃５、ノードＢ＃６、及びノードＢ＃７から受信された各ＤＬ＿ＤＣＨの専用パイロットを測定し、各ノードＢのためのＴＰＣを生成する。前記ＤＬ＿ＤＣＨの合成の後に生成されたＴＰＣ及び各ノードＢの電力制御のためのＴＰＣは、例えば、ＴＰＣｃｏｍｂｉｎｅ、ＴＰＣｎｏｄｅ Ｂ ＃０、ＴＰＣｎｏｄｅ Ｂ ＃５、ＴＰＣｎｏｄｅ Ｂ ＃６、ＴＰＣｎｏｄｅ Ｂ ＃７、ＴＰＣｃｏｍｂｉｎｅ、ＴＰＣｎｏｄｅ Ｂ ＃０、ＴＰＣｎｏｄｅ Ｂ ＃５、ＴＰＣｎｏｄｅ Ｂ ＃６、ＴＰＣｎｏｄｅ Ｂ ＃７の順に伝送される。
【０１１８】
ＴＰＣｃｏｍｂｉｎｅは、前記アクティブセット内の全てのノードＢからのＤＬ＿ＤＣＨの送信電力を制御するために使用され、ＴＰＣｎｏｄｅ Ｂ ＃０は、ノードＢ＃０から伝送されるＤＳＣＨの送信電力を制御するために使用される。その他のＴＰＣは、それぞれのノードＢが前記アクティブセットに最初に含まれた時点のＤＬ＿ＤＣＨの送信電力に対して適用されることで、現在伝送するＤＬ＿ＤＣＨの送信電力とは相違する仮想のＤＬ＿ＤＣＨの送信電力の制御を遂行する。前記ＤＳＣＨを伝送しないＤＬ＿ＤＣＨに対する仮想の電力制御の目的は、前記ＳＨＯ領域に位置したＵＥの移動によって前記ＤＳＣＨのハードハンドオーバーが速く行われる場合、どのノードＢに前記ＤＳＣＨがハードハンドオーバーされるかに関係なく、迅速に前記ＤＳＣＨを前記ＵＥ＃１に伝送することができるようにすることである。
【０１１９】
前記第２ＤＬ＿ＤＣＨに関連したＴＰＣの利用方法は、前記ＤＳＣＨを伝送するノードＢの送信電力を直接制御することで、前記ＵＥが前記ＤＳＣＨを確実に受信するようになり、前記アクティブセット内のそれぞれのノードＢからのＤＬ＿ＤＣＨの送信電力を直接制御することで、前記ＤＳＣＨがどのノードＢにハードハンドオーバーされるかに関係なく、前記ＤＳＣＨを適切な送信電力ですぐに伝送することができるという長所がある。
【０１２０】
前記ＤＬ＿ＤＣＨに関連したＴＰＣを直接伝送する方法において、前記ＤＳＣＨを伝送するノードＢとＵＥとの間のチャネル環境の変化に対するオフセット値は、前記ＤＳＣＨの送信電力を直接制御することによって補償されるが、前記アクティブセット内のノードＢからの信号の結合利得は補償されない。従って、前記結合利得は、前記アクティブセット内のノードＢの数を考慮して設定されるべきである。
【０１２１】
前記ＤＳＣＨの送信電力を制御する３つの方法を説明すると、前記相対的な電力オフセット値を伝送する方法、前記ＵＬ＿ＤＰＣＣＨのＦＢＩフィールドを通してＤＳＣＨのためのＴＰＣを伝送する方法、及びＤＬ＿ＤＣＨのためのＴＰＣを使用する方法がある。その他に、前記ＳＨＯ領域でＤＳＣＨの送信電力を制御する第４の方法に関して説明する。
【０１２２】
ＤＳＣＨを受信するＵＥが前記ＵＥと前記アクティブセット内のノードＢとの間のチャネル環境に関する情報をＵＴＲＡＮに報告することで、前記ＵＴＲＡＮは、前記情報に基づいてＤＳＣＨのための適した電力オフセットを決定することができる。ここで、前記ＵＴＲＡＮは、非同期移動通信標準においてＵＥを除いた移動通信システムの要素を示す総称である。前記ＵＴＲＡＮは、所定の時間の間に、前記ＵＥとＤＳＣＨを伝送するノードＢとの間のチャネル環境及び前記ＵＥと前記アクティブセット内の他のノードＢとの間のチャネル環境に関する情報を受信する。前記ＵＴＲＡＮは、前記受信された情報に基づいてＤＳＣＨを伝送するノードＢのための適した電力オフセットを決定し、前記ＤＳＣＨを伝送するノードＢに前記電力オフセット情報を伝送する。
【０１２３】
例えば、前記ＵＥは、前記アクティブセット内のノードＢから受信されるＣＰＩＣＨ及びＤＬ＿ＤＣＨのパイロット強度の測定値に基づいて送信する情報を決定する。
【０１２４】
前記ＵＥは、前記ＤＳＣＨを伝送するノードＢからの現在のＣＰＩＣＨ信号強度が所定の以前の時点で設定された前記ノードＢからのＣＰＩＣＨ信号強度より大きい場合、チャネル状況が良好であると判断し、前記現在のチャネル状況情報を、ＳＳＤＴ符号、（ｎ，３）符号、または（ｎ，４）符号を使用してＵＬ＿ＤＰＣＣＨのＦＢＩフィールドによって前記ＵＴＲＡＮに伝送する。前記チャネル状況判断に対する理解を容易にするために、＜表７＞を参照する。＜表７＞は、前記ＵＥが前記ＵＴＲＡＮに６種類の情報を伝送することができ、前記ＵＥが前記ＳＨＯ領域に最初に入る時は、当時の前記ＣＰＩＣＨの信号強度に基づいて前記チャネル状況を判断し、その後は、それぞれのチャネル状況情報を伝送する時点におけるＣＰＩＣＨの信号強度に基づいて前記ＵＥが前記チャネル状況を判断すると仮定する。
【表７】
2004511176.tif 000018
【０１２５】
＜表７＞を参照すると、前記ＵＴＲＡＮは、前記ＵＥから情報を１回受信して、前記情報を分析することで前記ＤＳＣＨに対する電力オフセットを決定することができ、または前記ＵＥから情報を数回受信して、受信される間の情報の変化を分析して前記ＤＳＣＨに対する電力オフセットを決定することができる。＜表７＞において、前記ＤＳＣＨに対する電力オフセットを前記ＣＰＩＣＨの信号強度の差より小さくすることは、前記ＤＳＣＨの送信電力の急な変化を防止するためである。前記パワーオフセットは、前記ＣＰＩＣＨの信号強度の差より大きいか同一に設定されることができる。前記電力オフセットを前記ＣＰＩＣＨ信号強度の差より小さく設定する方法は、隣接ノードＢに与えられる干渉は小さいが、前記ＤＳＣＨの実際の送信電力を適したレベルに至らないという問題がある。前記電力オフセットを前記ＣＰＩＣＨ信号強度の差と同一に設定する方法は、前記ＵＥの受信信号の変化はそのまま反映されるが、前記ＤＰＣＨと前記ＣＰＩＣＨとの間のデータ伝送率の差を反映されず前記ＤＳＣＨに電力オフセットを適用する短所がある。前記電力オフセットを前記ＣＰＩＣＨ信号強度の差より大きく設定する方法は、前記ＵＥで前記ＤＳＣＨを確実に受信することができるという長所はあるが、隣接ノードＢに与えられる干渉が大きいという問題がある。
【０１２６】
＜表７＞に示す前記ＤＳＣＨを送信するノードＢからの前記ＣＰＩＣＨの信号強度以外に、現在のチャネル状況を判断するために使用する基準は、前記アクティブセット内の全てのノードＢからのＣＰＩＣＨ信号強度、前記アクティブセット内で前記ＤＳＣＨを送信するノードＢの前記ＣＰＩＣＨ信号の強度とその他のノードＢの最も大きい前記ＣＰＩＣＨ信号強度との差、前記ＤＳＣＨを伝送するノードＢからのＤＬ＿ＤＰＣＣＨのパイロットの強度、前記アクティブセット内の全てのノードＢからのＤＬ＿ＤＰＣＣＨのパイロットの強度、及び前記アクティブセット内で前記ＤＳＣＨを送信するノードＢからのＤＬ＿ＤＣＣＨのパイロット信号の強度とその他のノードＢからの最も大きいＤＬ＿ＤＣＣＨのパイロット強度との差を含む。
【０１２７】
図６は、本発明による多重経路信号が受信できるＵＥの受信器のブロック図である。前記多重経路は、前記ＵＥが前記ＳＨＯ領域に位置しない時に、ノードＢから送信された信号が前記ＵＥに直接受信されるか、障害物によって間接的に受信される経路の総称である。前記ＵＥが前記ＳＨＯ領域に位置する場合、前記アクティブセット内の２つ以上のノードＢから前記ＵＥに信号が伝送される経路を称する。
【０１２８】
前記ＵＥは、アンテナ６０１を通して前記アクティブセット内のノードＢからＲＦ信号を受信した後、ＲＦモジュール６０２で搬送波上の前記ＲＦ信号を基底帯域信号または中間周波数（ｉｎｔｅｒｍｅｄｉａｔｅ ｆｒｅｑｕｅｎｃｙ： ＩＦ）信号に変換する。復調器６０３は、基底帯域信号またはＩＦ信号を復調し、第１デスクランブラー（ｄｅｓｃｒａｍｂｌｅｒ）６１０乃至ｎ番目のデスクランブラー６３０は、前記復調された信号をデスクランブリング（ｄｅｓｃｒａｍｂｉｎｇ）する。使用される前記デスクランブラーの数は、前記ＵＥが同時に幾つの順方向スクランブリング符号（ｓｃｒａｍｂｌｉｎｇ ｃｏｄｅ）をデスクランブリングするかによって決定され、製造会社によって変化する。前記順方向スクランブリング符号は、ＷＣＤＭＡにおいてノードＢを区別するために使用される符号である。本発明に対する理解を容易にするために、前記第１デスクランブラー６１０が前記アクティブセット内のＤＳＣＨを送信しないノードＢ＃１からの信号をデスクランブリングし、前記ｎ番目のデスクランブラー６３０がＤＳＣＨを送信するノードＢ＃ｎからの信号をデスクランブリングすると仮定する。
【０１２９】
第１逆拡散器（ｄｅｓｐｒｅａｄｅｒ）６１１は、前記第１デスクランブラー６１０の出力をノードＢ＃１の送信器において使用されるウォルシュ符号に掛けることによって、前記ダウンリンクチャネルを区別する。前記チャネルを区別するためのウォルシュ符号は、ＷＣＤＭＡにおいてＯＶＳＦ（Ｏｒｔｈｏｇｏｎａｌ Ｖａｒｉａｂｌｅ Ｓｐｒｅａｄｉｎｇ Ｆａｃｔｏｒ）符号とも言い、その長さは、チャネルのデータ伝送率によって変化する。前記第１逆拡散器６１１の出力は、ダウンリンク共通チャネル信号、ＤＬ＿ＤＣＨ信号、ＣＰＩＣＨ信号を含む。前記ダウンリンク共通チャネルは、ノードＢのシステム情報を伝送する同報通信チャネル（ｂｒｏａｄｃａｓｔｉｎｇ ｃｈａｎｎｅｌ）、前記ＵＥにシグナリング（ｓｉｇｎａｌｉｎｇ）情報を伝送するページングチャネル（ｐａｇｉｎｇ ｃｈａｎｎｅｌ）、または順方向接近チャネル（ｆｏｒｗａｒｄ ａｃｃｅｓｓ ｃｈａｎｎｅｌ）である。前記ＤＬ＿ＤＣＨは、前記ノードＢ＃１から前記ＵＥに伝送される専用チャネルである。
【０１３０】
第１ＣＰＩＣＨ推定器６１２は、前記第１逆拡散器６１１から前記ＣＰＩＣＨを受信し、前記ノードＢ＃１と前記ＵＥとの間のチャネル環境の変化による前記受信された信号の位相シフト（ｐｈａｓｅ ｓｈｉｆｔ）及びＣＰＩＣＨ信号の強度を推定する。位相補償器６１３は、ノードＢ＃１の送信信号の前記推定された位相によって前記ノードＢ＃１からの前記ダウンリンク専用チャネルの位相を補償する。一方、前記推定された共通パイロット信号の強度は、ダウンリンクＴＰＣ命令生成器６５０においてダウンリンク送信電力制御情報を生成する材料になる。逆多重化器（ＤＥＭＵＸ）６１４は、前記位相補償されたＤＬ＿ＤＣＨ信号をＤＬ＿ＤＰＤＣＨ及びＤＬ＿ＤＰＣＣＨに逆多重化する。前記ＤＬ＿ＤＣＨは、逆多重化より以前に、前記ＤＬ＿ＤＰＤＣＨ及び前記ＤＬ＿ＤＰＣＣＨ信号を時多重化した形態である。前記逆多重化器６１４の出力は、ＤＬ＿ＤＣＨデータフィールド、ＴＦＣＩ、専用チャネルパイロット、ＴＰＣを含む。前記ＤＬ＿ＤＣＨデータフィールドは、デインターリーバ６１５においてデインターリービングされ、復号器６１６においてチャネル符号化の前に前記元のデータに復号されて、前記ＵＥの上位階層に伝送される。前記逆多重化器６１４から出力されたＴＦＣＩは、１つのフレームレベルで解析され、ＤＬ＿ＤＰＤＣＨを通して伝送された相違するデータ伝送率を有するトランスポートチャネルの解析のために使用される。第１専用チャネルパイロット推定器６１７は、前記逆多重化器６１４から受信された専用チャネルパイロットの強度を推定する。前記推定された専用チャネルパイロット信号強度は、前記ダウンリンクＴＰＣ命令生成器６５０によって前記ダウンリンク送信電力制御情報またはダウンリンクチャネル情報を生成するために使用される。前記逆多重化器６１４から出力されたＴＰＣは、前記ＵＥのアップリンク信号電力を制御するためにノードＢ＃１から伝送されたアップリンク電力制御命令である。前記ＴＰＣは、アップリンク電力制御命令として、かつ、前記ダウンリンクＴＰＣ命令生成器６５０においてダウンリンク送信電力情報を生成するために使用される。
【０１３１】
一方、ｎ番目のデスクランブラー６３０は、ノードＢ＃ｎから受信されたダウンリンク信号を前記第１デスクランブラー６１０と同一の方式でデスクランブリングする。ｎ番目の逆拡散器６３１は、前記第１逆拡散器６１１と同一の方式で、前記デスクランブリングされた信号からＣＰＩＣＨ、ＤＬ＿ＤＣＨ、ダウンリンク共通チャネル、ＤＳＣＨに区別して出力する。前記ｎ番目の逆拡散器６３１から出力されたＣＰＩＣＨは、ｎ番目の共通チャネルパイロット推定器６３２に入力される。前記ｎ番目の共通チャネルパイロット推定器６３２は、前記ノードＢ＃ｎと前記ＵＥとの間のチャネル環境の変化によって発生する前記受信された信号の位相シフトに関する情報を出力し、前記位相シフトは、前記ダウンリンクＴＰＣ命令生成器６５０によって前記ダウンリンク送信電力制御命令情報を生成する材料になる。前記ｎ番目のＣＰＩＣＨ推定器６３２は、前記第１ＣＰＩＣＨ推定器６１２と同一の方式で動作する。前記ｎ番目の逆拡散器６３１から出力された前記ＤＬ＿ＤＨＣ信号は、位相補償器６３３及び逆多重化器６３４を通してＴＰＣ、専用チャネルパイロット、ＤＬ＿ＤＣＨデータフィールド、及びＴＦＣＩに分離される。前記位相補償器６３３及び前記逆多重化器６３４は、それぞれ前記位相補償器６１３及び前記逆多重化器６１４と機能が同一である。前記ＤＬ＿ＤＣＨデータフィールドは、デインターリーバ６３５においてデインターリービングされ、復号器６３６においてチャネル符号化の前に前記元のデータに復号されて、前記ＵＥの上位階層に伝送される。前記逆多重化器６３４から出力された前記ＴＦＣＩは、１つのフレームレベルで解析され、ＤＬ＿ＤＰＤＣＨを通して伝送された相違するデータ伝送率を有するトランスポートチャネルの解析のために使用される。ｎ番目の専用チャネルパイロット推定器６３７は、前記第１専用チャネルパイロット推定器６１７と同一の方式で、前記逆多重化器６３４から受信された前記専用チャネルパイロットの強度を推定する。前記推定された専用チャネルパイロット信号の強度は、前記ダウンリンクＴＰＣ命令生成器６５０によって前記ダウンリンク送信電力制御情報を生成するために使用される。前記逆多重化器６１４から出力されたＴＰＣは、前記ＵＥのアップリンク信号電力を制御するために前記ノードＢから伝送されたアップリンク電力制御命令である。前記ＴＰＣは、アップリンク送信電力制御命令として使用されると共に、前記ダウンリンクＴＰＣ命令生成器６５０において前記ダウンリンク送信電力制御情報を生成するために使用される。前記ｎ番目の逆拡散器６３１から出力されたダウンリンク共通チャネル信号は、同報通信チャネルまたは順方向接近チャネルになることができる。前記同報通信チャネルは、システム情報を伝送し、前記順方向接近チャネルは、前記ノードＢの上位階層または移動通信ネットワークにおける上位階層から前記ＵＥにシグナリング情報を伝送する。前記ｎ番目の逆拡散器６３１から出力されたＤＳＣＨは、デインターリーバ６３８においてデインターリービングされ、復号器６３９において復号された後、前記ＵＥの上位階層に伝送される。前記ＤＳＣＨは、使用者データのみを伝送する。前記デインターリーバ６３８及び前記復号器６３９は、それぞれ前記デインターリーバ６１５、６３５及び前記復号器６１６、６３６と同一の方式で動作する。
【０１３２】
前記ダウンリンクＴＰＣ命令生成器６５０は、前記ＵＥが前記ＳＨＯ領域に移動して既存のノードＢだけでなく新しいノードＢから信号を受信すると、ノードＢ＃１乃至ノードＢ＃ｎからＴＰＣ、専用チャネルパイロット信号強度、ＣＰＩＣＨ信号強度を受信し、ＤＬ＿ＤＰＣＣＨ電力制御情報、それに連動するＤＳＣＨ電力制御情報、及び前記ＤＳＣＨが受信されるダウンリンクチャネルに関する情報を生成する。より具体的に、ノードＢ＃１乃至ノードＢ＃ｎからの前記専用チャネルパイロット信号が合計されて、所望するＤＬ＿ＤＣＨの受信強度と比較される。前記合計値が、所望するＤＬ＿ＤＣＨの受信強度より小さい場合、ダウンリンク送信電力の増加を命令するＤＬ＿ＤＣＨ電力制御情報を生成する。反対の場合は、ダウンリンク送信電力減少を命令するＤＬ＿ＤＣＨ電力制御情報を生成する。前記ダウンリンクＴＰＣ命令生成器６５０は、ＤＳＣＨ電力制御情報も生成し、前記ＤＳＣＨ電力制御情報は、３つに分けることができる。
【０１３３】
（１）前記ＤＬ＿ＤＣＨに対するＤＳＣＨの相対的な電力オフセットに関する情報。前記の相対的な電力オフセットは、図４を参照して説明された方法を使用して決定される。（２）前記ＤＳＣＨの電力制御のためにＵＬ＿ＤＰＣＣＨ上のＦＢＩフィールドによって直接ＴＰＣ情報を伝送する。前記ＴＰＣは、図１３のＯｆｆｓｅｔｃｈａｎｎｅｌ ｅｎｖｉｒｏｎｍｅｎｔ１３３３の決定のために使用されるＣＰＩＣＨの信号強度、ＣＰＩＣＨ信号強度の差、専用パイロットチャネルの信号強度、専用パイロットチャネルの信号強度の差に基づいて決定される。前記ＤＳＣＨのためのＴＰＣは、スロット毎に伝送されるか、複数のスロットに分けて伝送される。複数のスロットに分けて伝送される場合、前記ＴＰＣは、前記ＦＢＩフィールドを通してＴＰＣの伝送の時にエラーが発生することを防止するために別々に符号化される。前記符号は、既存のＳＳＤＴ ＩＤ符号であるか、本発明によって提案された（ｎ，３）符号及び（ｎ，４）符号を含めるその他の符号である。前記ＴＰＣは、前記ＴＰＣの受信時点に前記ＤＳＣＨの送信電力に適用される。前記ＵＥにおいて前記ＤＳＣＨの受信に失敗したため電力制御ループが停止される場合、前記ＤＳＣＨの電力制御のために相対的な電力オフセット値が伝送され、前記ＵＥに前記ＤＳＣＨを再伝送する時に、前記ノードＢは初期電力レベルを設定する。（３）前記ＤＳＣＨが伝送されるダウンリンクチャネルに関する情報。前記ＵＥではなく前記ＵＴＲＡＮが前記ＤＳＣＨに対する電力オフセットを決定する場合、前記ダウンリンクチャネル情報は、前記ＤＳＣＨの決定のために使用される。
【０１３４】
図７は、本発明による前記ＵＥにおける送信器のブロック図である。
【０１３５】
図７を参照すると、ダウンリンクＴＰＣ命令生成器７１１は、図６に示す前記ダウンリンクＴＰＣ命令生成器６５０から前記ＤＬ＿ＤＣＨ電力制御情報及びＤＳＣＨ電力制御情報を受信し、前記受信された情報を、ＤＬ＿ＤＣＨ電力制御命令、ＤＳＣＨ電力制御命令、相対的な電力オフセットまたはダウンリンクチャネル情報を示す符号語、及びダウンリンクチャネル情報に変換する。前記ＤＬ＿ＤＣＨ電力制御命令は、ＵＬ＿ＤＰＣＣＨのＴＰＣフィールドによって設定される前記アクティブセット内の全てのノードＢに同報通信される。前記ＤＳＣＨ電力制御命令または前記相対的な電力オフセットを示す符号語、及び前記ダウンリンクチャネル情報は、前記ダウンリンクＴＰＣ命令生成器６５０において決定される。前記ＤＳＣＨ電力制御命令は、スロット毎に伝送されるか、信頼度を高めるために別々に符号化して複数のスロットに分けて伝送される。前記相対的な電力オフセットまたは前記ダウンリンクチャネル情報を示す符号語の更新周期は、符号の長さまたは上位階層によって決定される。前記符号語は、前記更新周期によって複数のスロットに分けて伝送される。前記ダウンリンク送信電力制御命令生成器７１１は、前記ＤＳＣＨ電力制御命令、または、ＵＬ＿ＤＰＣＣＨのＦＢＩフィールドに対する相対的な電力オフセットを示す符号語及びＵＬ＿ＤＰＣＣＨのＴＰＣフィールドに対する前記ＤＬ＿ＤＣＨ電力制御命令を出力する。多重化器（ＭＵＸ）７１６は、前記ダウンリンクＴＰＣ命令生成器７１１の出力を前記ＵＥの物理階層から受信されたパイロット７１４及びＴＦＣＩ７１５で多重化することで、前記ＵＬ＿ＤＰＣＣＨに対するデータを生成する。拡散器７１７は、前記ＵＬ＿ＤＰＣＣＨデータを対応するＯＶＳＦ符号で拡散する。乗算器７２０は、前記拡散されたデータを前記ＵＬ＿ＤＰＣＣＨの送信電力を調節される送信電力利得と掛ける。前記ＵＬ＿ＤＰＤＣＨのための使用者データ７０１は、符号器７０２において符号化され、インターリーバ７０３においてインターリービングされ、拡散器７０４において前記ＵＬ＿ＤＰＤＣＨのデータ伝送率に適したＯＶＳＦ符号で拡散される。乗算器７２１は、前記拡散された信号を前記ＵＬ＿ＤＰＤＣＨの送信電力を調節するために送信利得と掛ける。前記ＵＬ＿ＤＰＤＣＨ及び前記ＵＬ＿ＤＰＣＣは、乗算器７２１は、合計器７０５において合計される。スクランブラー７２１は、前記合計値をＵＬ＿ＤＣＨに対するスクランブリング符号でスクランブリングする。前記スクランブリングされた信号は、変調器７０７において変調され、ＲＦモジュール７０８において搬送波と掛けられ、アンテナ７１０を通して前記ノードＢに同報通信される。
【０１３６】
図８は、本発明の実施形態によるノードＢの受信器のブロック図である。
【０１３７】
図８を参照すると、アンテナ８０１を通してＵＥから受信された信号は、ＲＦモジュール８０２においてＩＦ信号または基底帯域信号に変換され、復調器８０３において復調され、デスクランブラー８０４においてデスクランブリングされる。前記スクランブリング符号は、図７に示す前記ＵＥの乗算器７０６において使用されるスクランブリング符号と同一である。前記スクランブリング符号は、前記ＵＥからの信号を識別する。前記デスクランブリングされた信号は、前記デスクランブラー８０４においてＵＬ＿ＤＰＣＣＨ及びＵＬ＿ＤＰＤＣＨに分離される。
【０１３８】
逆多重化器８０６は、前記逆拡散器８０５から受信されたＵＬ＿ＤＰＣＣＨをアップリンク専用チャネルパイロット、ＴＦＣＩ、ＦＢＩ、ＴＰＣに逆多重化する。前記アップリンク専用チャネルパイロットから、専用チャネルパイロット推定器８０７は、前記ＵＥと前記ノードＢとの間のチャネル環境変化による信号の位相シフト及び前記アップリンク専用チャネルパイロット信号の強度を推定する。位相補償器８１０は、前記推定された位相シフト値で前記逆拡散器８０５から受信されたＵＬ＿ＤＰＤＣＨの位相を補償する。前記ＵＬ＿ＤＰＤＣＨ及び前記ＵＬ＿ＤＰＣＣＨが同一のチャネル環境でノードＢに受信されるので、前記ＵＥと前記ノードＢとの間のチャネル環境の変化による前記ＵＬ＿ＤＰＤＣＨの位相歪みは、前記専用チャネルパイロット推定器８０７から受信された前記推定された位相シフト値で補償されることができる。
【０１３９】
アップリンクＴＰＣ命令生成器８０８は、前記専用チャネルパイロット推定器８０７から受信された前記専用チャネルパイロット信号強度を、アップリンク 送信電力制御のためのＴＰＣを生成するデータとして使用する。一方、ダウンリンクチャネル送信電力制御器８０９は、前記逆多重化器８０６から受信されたＦＢＩ及びＴＰＣを使用して、それぞれＤＬ＿ＤＣＨ電力制御命令及びＤＳＣＨ電力制御命令を生成する。
【０１４０】
前記ダウンリンクチャネル送信電力制御器８０９は、前記逆多重化器８０６から受信されたＦＢＩ情報に基づいてＤＳＣＨの送信電力制御命令を生成する。前記ＦＢＩ情報は、ＤＬ＿ＤＣＨに関連したＤＳＣＨに対する相対的な電力オフセットまたは前記ＤＳＣＨのためのＴＰＣ命令になることができる。前記ＦＢＩ情報が前記ＤＳＣＨに対する相対的な電力オフセット及び前記ダウンリンクチャネル情報を含む場合、前記相対的な電力オフセット及びダウンリンクチャネル情報は、ＳＳＤＴ ＩＤ符号、（ｎ，３）符号、（ｎ，４）符号、またはその他の符号に符号化されて伝送される。従って、前記相対的な電力オフセット情報及び前記ダウンリンクチャネル情報は、ダウンリンクチャネル送信電力制御器８０９において復号化の過程を経て使用される。前記ダウンリンクチャネル情報は、前記ノードＢにおいて最初から使用されず、ＲＮＣによって前記ＤＳＣＨのための電力オフセットを決定するデータになる。前記ＲＮＣは、前記決定された電力オフセット値を前記ノードＢに知らせる。前記ＤＬ＿ＤＣＨ電力制御命令は、前記ＤＬ＿ＤＣＨの送信電力の制御に使用するために、ＵＬ＿ＤＣＨのＴＰＣフィールドで伝送される。次に、前記位相補償器８１０から出力された前記ＵＬ＿ＤＣＨは、デインターリーバ８１１においてデインターリービングされ、復号器８１２において復号化され、前記ノードＢの上位階層に伝送される。
【０１４１】
図９は、本発明の実施形態によるノードＢの送信器のブロック図である。
【０１４２】
図９を参照すると、ＤＬ＿ＤＰＤＣＨを通して伝送される使用者データは、符号器９１１において符号化され、インターリーバ９０２においてインターリービングされる。多重化器９０５は、ＴＦＣＩ９０４、パイロット９０３、アップリンクＴＰＣ命令生成器９０６から受信されたＵＬ＿ＤＣＨの電力制御のためのＴＰＣ、及び前記インターリーバ９０２から受信されたＤＬ＿ＤＰＤＣＨを多重化して、ＤＬ＿ＤＣＨを生成する。前記アップリンクＴＰＣ命令生成器９０６は、図８に示すアップリンクＴＰＣ命令生成器８０８と同一の装置である。ＵＬ＿ＤＰＣＣＨの専用パイロットチャネル信号の強度に基づいてＴＰＣを設定し、ＤＬ＿ＤＣＨのＤＬ＿ＤＰＣＣＨを通して前記ＴＰＣを伝送する。前記多重化器９０５から出力された前記ＤＬ＿ＤＣＨ信号は、拡散器９０７において対応するＯＶＳＦ符号で拡散され、乗算器９３２において前記ＤＬ＿ＤＣＨの送信電力を調節するために設定されたチャネル利得と掛けられ、合計器９２０に入力される。前記チャネル利得は、図８に示す前記アップリンクチャネル送信電力制御器８０９から出力されたアップリンクＵＬ＿ＤＣＨ電力制御命令によって設定される。
【０１４３】
符号器９１１は、前記ノードＢから前記ＵＥに伝送されるＤＳＣＨデータを符号化する。前記符号化されたＤＳＣＨは、インターリーバ９１２においてインターリービングされ、拡散器９１３において対応するＯＶＳＦ符号で拡散される。乗算器９３３は、前記拡散された信号を前記ＤＳＣＨの電力制御のためのチャネル利得と掛ける。前記チャネル利得は、図８のダウンリンクチャネル送信電力制御器８０９から出力されたＤＳＣＨ電力制御命令によって設定される。
【０１４４】
ダウンリンク共通チャネル９１５は、乗算器９３０においてチャネル利得と掛けられる。前記ダウンリンク共通チャネルは、同報通信チャネルが伝送される１次共通制御物理チャネル（Ｐｒｉｍａｒｙ Ｃｏｍｍｏｎ Ｃｏｎｔｒｏｌ Ｐｈｙｓｉｃａｌ Ｃｈａｎｎｅｌ）、順方向接近チャネル及びページングチャネルが伝送される２次共通制御チャネル（Ｓｅｃｏｎｄａｒｙ Ｃｏｍｍｏｎ Ｃｏｎｔｒｏｌ Ｐｈｙｓｉｃａｌ Ｃｈａｎｎｅｌ）、及び共通パイロットチャネルを含む。他の使用者の専用チャネル９１７は、前記ノードＢでないの他の使用者に伝送される。符号化、インターリービング、及び拡散過程の後、乗算器９３１において対応するチャネル利得と掛けられる。
【０１４５】
合計器９２０は、前記ダウンリンク共通チャネル、前記ＤＬ＿ＤＣＨ、前記ＤＳＣＨを合計する。乗算器９２１は、前記合計値を前記ノードＢに割り当てられるスクランブリング符号と掛ける。変調器９２２は、前記スクランブリングされた信号を変調する。ＲＦモジュール９２３は、前記変調されたダウンリンク信号を搬送波に乗せて、アンテナ９２５を通して前記ノードＢ内の前記ＵＥに伝送する。
【０１４６】
図１０は、本発明の実施形態によって、ＵＥにおいて前記アクティブセット内のノードＢからのＣＰＩＣＨ信号強度を測定することで、ＤＳＣＨのための相対的なパワーオフセットを決定するアルゴリズムのフローチャートである。
【０１４７】
図１０を参照すると、１００１過程において、前記ＵＥは、前記ＵＴＲＡＮからＳＨＯ開始時点に対するシグナリングを受信し、前記ＳＨＯ開始時点にＰＬ０を設定する。前記ＵＴＲＡＮは、ＷＣＤＭＡにおいてＵＥを除いた全ての非同期移動通信ネットワークをまとめて称する概念である。前記ノードＢも前記ＵＴＲＡＮに属する。ＰＬ０は、ＤＳＣＨを伝送するノードＢからのＣＰＩＣＨ信号の強度と前記アクティブセット内の他のノードＢのＣＰＩＣＨ信号の強度のうち最も大きいＣＰＩＣＨ信号の強度との差として定義される。
【０１４８】
１００２過程において、前記ＵＥは、前記アクティブセット内のノードＢから受信されるダウンリンク伝送信号の強度及びＣＰＩＣＨ信号の強度を測定し、前記アクティブセット内のノードＢの数を調査する。前記アクティブセット内のノードＢの数は、前記ＵＴＲＡＮから生成された命令によって更新され、前記ＵＥには周知である。
【０１４９】
１００３過程において、前記ＵＥは、前記ＤＳＣＨを伝送するノードＢからの前記ＣＰＩＣＨ信号の強度が最大の信号強度であるか否かを調査する。調査の結果、最大の信号強度である場合、前記ＵＥは、１００４過程において、前記ＤＳＣＨを伝送するノードＢからのＣＰＩＣＨ信号の強度と前記ＤＳＣＨを伝送しないノードＢからの最大のＣＰＩＣＨ信号の強度との差を計算する。一方、１００３過程において、前記ＤＳＣＨを伝送するノードＢからのＣＰＩＣＨ信号の強度が前記ＤＳＣＨを伝送しないノードＢからの最大のＣＰＩＣＨ信号の強度より小さいか同一である場合、前記ＵＥは、１０２０過程において、前記ＤＳＣＨを伝送するノードＢのＣＰＩＣＨの信号強度と前記 アクティブセット内の他のノードＢからの最大のＣＰＩＣＨ信号の強度との差を計算する。１００４過程または１０２０過程において計算された前記差は、１００５過程において前記ＵＥのバッファに貯蔵される。
【０１５０】
１００６過程において、前記ＵＥは、前記ＤＳＣＨのための相対的な電力オフセットを更新する時点であるか否かを判断する。前記相対的な電力オフセットの更新周期は、ＵＬ＿ＤＰＣＣＨのＦＢＩフィールドの長さ、前記ＦＢＩフィールドのＳフィールドを通して伝送される相対的な電力オフセット符号語の長さ、及び前記ＵＴＲＡＮによるスケジューリングによって決定される。まだ前記相対的な電力オフセットの更新時点になってない場合、前記ＵＥは、１００２過程に戻る。１００６過程において、前記相対的な電力オフセットの更新時点である場合、前記ＵＥは、１００７過程において、最近前記バッファに貯蔵された《経路差（ｐａｔｈ ｌｏｓｓ ｄｉｆｆｅｒｅｎｃｅ）》に加重値を高く割り当てることによって、前記バッファに貯蔵されていた経路差の変化を調査する。
【０１５１】
前記ＵＥは、１００８過程において、前記経路差に基づいて判断した前記チャネル環境変化による電力オフセット、及び前記アクティブセット内のノードＢの数及び前記アクティブセット内のノードＢからＤＬ＿ＤＣＨを通して受信された前記専用パイロット信号の受信電力による電力オフセットを判断し、前記２つの電力オフセットに対応する相対的な電力オフセットを選択する。前記選択された相対的な電力オフセットを適切に量子化した後、前記ＵＥは、相対的な電力オフセットの表において前記相対的な電力オフセットに対応する符号を選択する。前記経路差を反映したチャネル環境に関連したオフセットは、Ｏｆｆｓｅｔｃｈａｎｎｅｌ ｅｎｖｉｒｏｎｍｅｎｔ１３３３になることができ、前記結合利得を考慮した電力オフセットは、Ｏｆｆｓｅｔｃｏｍｂｉｎｉｎｇ ｇａｉｎ１３３２になることができる。１００８過程において、前記相対的な電力オフセットの表として＜表４＞が使用されることができる。
【０１５２】
１００９過程において、前記ＵＥは、相対的な電力オフセットの更新周期の間にＵＬ＿ＤＰＣＣＨのＦＢＩフィールドを通して前記相対的な電力オフセットの符号語を伝送する。１０１０過程において、前記ＵＥがＳＨＯ領域外にあるか否かを判断する。前記ＳＨＯが終了しなかった場合、前記ＵＥは、１００２過程に戻る。前記ＳＨＯが終了した場合、前記ＵＥは、１０１１過程において、前記通常的なＤＳＣＨの電力制御、つまり、前記ＤＳＣＨに連結されて割り当てられたＤＬ＿ＤＣＨの送信電力及び前記ＤＳＣＨと前記ＤＬ＿ＤＣＨとの送信電力の差によって決定された電力オフセットのみを使用して遂行する。次に、前記ノードＢは、前記電力制御オフセット情報及び前記ＵＥから伝送されるＤＬ＿ＤＣＨのためのＴＰＣに基づいてＤＳＣＨの送信電力を制御する。
【０１５３】
図１１は、本発明の実施形態によるＵＥにおいてＵＬ＿ＤＰＣＣＨのＦＢＩフィールドを通してＤＳＣＨ電力制御命令を直接伝送するアルゴリズムを示すフローチャートである。
【０１５４】
図１１を参照すると、前記ＵＥは、前記ＵＴＲＡＮからＳＨＯ開始時点に対するシグナリングメッセージを受信し、１１０１過程において、前記ＳＨＯ開始時点にＰＬ０を設定する。前記ＵＴＲＡＮは、ＷＣＤＭＡにおいて、ＵＥを除いた全ての非同期移動通信ネットワークをまとめて称する概念である。前記ノードＢも前記ＵＴＲＡＮに属する。前記ＰＬ０は、前記ＤＳＣＨを伝送するノードＢからのＣＰＩＣＨ信号の強度と前記アクティブセット内の他のノードＢからの最大のＣＰＩＣＨ信号の強度との差として定義される。
【０１５５】
１１０２過程において、前記ＵＥは、前記アクティブセット内のノードＢからのダウンリンク伝送信号の強度及びＣＰＩＣＨ信号の強度を測定し、前記ノードＢの数を調査する。前記ノードＢの数は、前記ＵＴＲＡＮから生成された命令によって更新され、前記ＵＥには周知である。１１０３過程において、前記ＵＥは、前記ＤＳＣＨを伝送するノードＢからの前記ＣＰＩＣＨ信号の強度が最大であるか否かを調査する。前記ＣＰＩＣＨの信号強度が最大である場合、前記ＵＥは、１１０４過程において、前記ＤＳＣＨを伝送するノードＢからのＣＰＩＣＨ信号の強度と前記アクティブセット内の他のノードＢからの最大のＣＰＩＣＨ信号の強度との差を計算する。１１０３過程において、前記ＤＳＣＨを伝送するノードＢからのＣＰＩＣＨの信号強度が前記他のノードＢからのＣＰＩＣＨの信号強度より小さいか同一である場合、前記ＵＥは、１１２０過程において、前記ＤＳＣＨを伝送するノードＢからの前記ＣＰＩＣＨの信号強度と前記アクティブセット内の他のノードＢからの最大のＣＰＩＣＨ信号の強度との差を計算する。
【０１５６】
１１０４過程または１１２０過程において計算された前記差は、１１０５過程において前記ＵＥのバッファに貯蔵される。１１０６過程において、前記ＵＥは、現在の ラジオフレームの後に受信される他のＤＳＣＨラジオフレームが存在するか否かを判断する。次のＤＳＣＨラジオフレームが存在する場合、前記ＵＥは、１１０７過程においてＵＬ＿ＤＰＣＣＨを伝送する時点であるか否かを判断する。１１０７過程を遂行する理由は、ＤＳＣＨの電力制御のためにＵＬ＿ＤＰＣＣＨのＦＢＩフィールドを通してＴＰＣ命令語を直接伝送するか、または、ＴＰＣ命令語伝送の信頼度を高めるために別の符号化方法を利用して前記ＴＰＣ命令を表現する符号語を伝送するかを判断するためである。前記ＴＰＣを直接伝送する方法を使用する場合、同一の質問に対して、答えは“Ｙｅｓ”または“Ｎｏ”である。１１０７過程において、前記ＤＳＣＨの電力制御のためのＴＰＣを伝送する時点でない場合、前記ＵＥは１１０２過程に戻る。前記ＴＰＣを伝送する時点であると判断される場合、前記ＵＥは、１１０８過程において、前記バッファに貯蔵された前記計算値を利用して前記ＤＳＣＨのためのＴＰＣまたは対応する符号語を生成する。１１０９過程において、前記ＵＬ＿ＤＰＣＣＨのＦＢＩフィールドを通して前記ＴＰＣまたはＴＰＣ符号語を直接伝送する。前記１１０６過程において、次のＤＳＣＨフレームが存在しないため電力制御ループが停止される場合、１１２１過程において相対的な電力オフセット値が計算され、１１０９過程において伝送される。１１２１過程において、前記ＤＳＣＨに対する相対的な電力オフセット値を計算する場合、前記ＵＥは、ＤＳＣＨを伝送しない区間の間であっても、前記ノードＢが前記次のＤＳＣＨの初期送信電力を決定することを助けるために、１１０２過程において得られた測定値を使用する。前記相対的な電力オフセット値は、１１０９過程において、前記ＵＬ＿ＤＰＣＣＨのＦＢＩフィールドを通して伝送される。
【０１５７】
１１１０過程において、前記ＵＥは、前記ＳＨＯ領域外にあるか否かを判断する。前記ＳＨＯが完了していない場合、前記ＵＥは１１０２過程に戻る。前記ＳＨＯが完了した場合、前記ＵＥは、１１１１過程において、通常的なＤＳＣＨ電力制御を、つまり、前記ＤＳＣＨに連結されて割り当てられたＤＬ＿ＤＣＨの送信電力及び前記ＤＳＣＨと前記ＤＬ＿ＤＣＨとの間の送信電力の差によって決定された電力オフセットのみを使用して遂行する。次に、前記ノードＢは、前記電力オフセット情報及び前記ＵＥから伝送されるＤＬ＿ＤＣＨのためのＴＰＣに基づいてＤＳＣＨの送信電力を制御する。
【０１５８】
図１２は、本発明の実施形態によって、前記ＵＴＲＡＮにおいて前記ＵＥからＤＳＣＨのための相対的な電力オフセットまたはＤＳＣＨのためのＴＰＣを受信する動作を示すフローチャートである。
【０１５９】
図１２を参照すると、１２０１過程において、前記ＵＴＲＡＮは、前記ＵＥがＳＨＯ領域に移動する時、前記ＵＥにＳＨＯ開始メッセージを伝送する。１２０２過程において、前記ＵＴＲＡＮは、前記ＳＨＯ領域内の前記ＵＥにＤＳＣＨのための初期相対的な電力オフセットを適用して伝送する。前記初期相対的なパワーオフセットは、０ｄＢになることができ、または、結合利得によって計算されたオフセットの最小値である１ｄＢになることができる。１２０３過程において、前記ＵＴＲＡＮは、前記ＵＥからＤＳＣＨ送信電力情報を受信する。前記ＤＳＣＨ送信電力情報は、相対的な電力オフセットを表現する符号語またはＤＳＣＨの送信電力の制御のためのＴＰＣになることができる。１２０４過程において、前記ＵＴＲＡＮは、前記ＵＥに伝送するＤＳＣＨデータが存在するか否かを判断する。前記ＤＳＣＨデータが存在する場合、前記ＵＴＲＡＮは、１２０５過程において、前記ＵＥに前記ＤＳＣＨを持続的に伝送するか否かを判断する。前記ＵＥに前記ＤＳＣＨが持続的に伝送されることは、現在送信するＤＳＣＨフレームの前に予め前記ＵＥに送信されたＤＳＣＨフレームが存在し、それによって、前記予め送信されたＤＳＣＨフレームの送信電力情報を前記現在伝送されるＤＳＣＨのフレームに適用することができることを意味する。逆に、ＤＳＣＨを持続的に伝送されないことは、送信前記現在のＤＳＣＨフレームの以前にしばらく伝送されるＤＳＣＨフレームが存在しなかったため、前記バッファに貯蔵されたＤＳＣＨ送信電力情報を使用して前記ＤＳＣＨの初期送信電力を設定されるべきであることを意味する。１２２２過程において、前記ＵＴＲＡＮは、前記バッファに貯蔵された前記ＤＳＣＨ送信電力情報を使用して前記ＤＳＣＨの送信電力を決定すべきである。前記ＵＴＲＡＮがＤＳＣＨを持続的に伝送する場合、１２０６過程において、前記ＵＥから受信された前記ＤＳＣＨ送信電力情報を使用して前記ＤＳＣＨ送信電力を設定する。
【０１６０】
１２０４過程において、前記ＤＳＣＨ送信電力情報を伝送した前記ＵＥに伝送するＤＳＣＨが存在しない場合、前記ＵＴＲＡＮは、１２２０過程において、前記受信されたＤＳＣＨ送信電力情報に基づいて前記ＵＥに最後に伝送されたＤＳＣＨ送信電力情報を更新する。ＵＴＲＡＮが前記ＤＳＣＨ送信電力情報を受信する以前に前記ＵＥがＤＳＣＨフレームを受信したことがない場合、前記ＵＴＲＡＮは、前記受信されたＤＳＣＨ送信電力情報に基づいて前記ＤＳＣＨフレームに対する初期伝送電力を設定する。前記設定された初期値は、前記ＵＥから送信された情報によって更新される。前記計算されたＤＳＣＨ送信電力情報は、１２２１過程において前記バッファに貯蔵され、１２２２過程において前記ＤＳＣＨ送信電力を決定するために使用される。次に、前記ＵＴＲＡＮは、１２０３過程に戻って、前述した過程を繰り返す。
【０１６１】
１２２２過程または１２０６過程において前記ＤＳＣＨの送信電力を決定した後、前記ＵＴＲＡＮは、１２０７過程において、前記送信電力で前記ＵＥにＤＳＣＨを伝送する。
【０１６２】
１２０８過程において、前記ＵＴＲＡＮは、前記ＵＥが前記ＳＨＯ領域外にあるか否かを判断する。前記ＵＥが前記ＳＨＯ領域にある場合、前記ＵＴＲＡＮは、１２０３過程に戻る。
【０１６３】
１２０８過程において、前記ＵＥが前記ＳＨＯ領域外にあると判断される場合、前記ＵＴＲＡＮは、１２０９過程において、前記ＵＥが前記アクティブセット内の他のノードＢに移動したか否かを判断する。前記ＵＥが他のノードＢに移動したと判断される場合、前記ＵＴＲＡＮは、１２１０過程において、前記ＵＥから前記ＤＳＣＨを解除する。１２０９過程において、前記ＵＥが元のソースノードＢに戻った場合、前記ＵＴＲＡＮは、１２２３過程において、正常的なＤＳＣＨ送信電力制御を遂行する。
【０１６４】
図１９は、本発明の第３実施形態によって、前記ＵＴＲＡＮが前記ＤＳＣＨに適用する電力オフセットの決定において、前記アクティブセット内のノードＢからのＣＰＩＣＨの信号強度を測定してチャネル環境を推定し、前記チャネル環境情報を前記ＵＴＲＡＮに報告するＵＥアルゴリズムを示すフローチャートである。
【０１６５】
図１９を参照すると、前記ＵＥは、１９０１過程において、前記ＵＴＲＡＮからＳＨＯ開始時点に対するシグナリングメッセージを受信し、ＳＨＯ開始時点にＰＬ０を設定する。前記ＵＴＲＡＮは、ＷＣＤＭＡにおいて、ＵＥを除いた全ての非同期移動通信ネットワークの要素を称することである。前記ノードＢも前記ＵＴＲＡＮに属する。ＰＬ０は、前記ＤＳＣＨを伝送するノードＢからのＣＰＩＣＨ信号強度と前記アクティブセット内の他のノードＢからの最大のＣＰＩＣＨ信号強度との差に定義される。
【０１６６】
１９０２過程において、前記ＵＥは、前記アクティブセット内のノードＢから受信されるダウンリンク伝送信号の強度及びＣＰＩＣＨ信号の強度を測定し、前記ノードＢの数を調査する。前記ノードＢの数は、前記ＵＴＲＡＮから生成された命令によって更新され、前記ＵＥには周知である。
【０１６７】
１９０３過程において、前記ＵＥは、前記ＤＳＣＨを伝送するノードＢからの前記ＣＰＩＣＨ信号強度が最大のＣＰＩＣＨ信号の強度であるか否かを調査する。最大のＣＰＩＣＨ信号強度である場合、前記ＵＥは、１９０４過程において、前記ＤＳＣＨを伝送するノードＢのＣＰＩＣＨ信号の強度と前記アクティブセット内の他のノードＢからの最も大きいＣＰＩＣＨ信号の強度との差を計算する。前記ＤＳＣＨを伝送するノードＢからの前記ＣＰＩＣＨの信号強度が前記アクティブセット内の他のノードＢからの最も大きいＣＰＩＣＨ信号の強度より小さいがド同一である場合、前記ＵＥは、１９２０過程において、前記ＤＳＣＨを伝送するノードＢからの前記ＣＰＩＣＨの信号強度と前記アクティブセット内の他のノードＢからの最も大きいＣＰＩＣＨ信号の強度との差を計算する。１９０４過程または１９２０過程で得られた計算値は、１９０５過程において、前記ＵＥのバッファに貯蔵される。
【０１６８】
１９０６過程において、前記ＵＥは、現在のチャネル状況情報を前記ＵＴＲＡＮに伝送する時点であるか否かを判断する。前記チャネル状況情報は、ＵＬ＿ＤＰＣＣＨのＦＢＩフィールドの長さ、前記ＦＢＩフィールドのＳフィールドを通して伝送されるチャネル状況を表現する符号語の長さ、及び前記ＵＴＲＡＮによるスケジューリングによって決定される。１９０６過程において、前記チャネル状況情報を伝送する時点でないと判断される場合、前記ＵＥは、１９０２過程に戻る。１９０６過程において、前記チャネル状況情報を伝送する時点であると判断される場合、前記ＵＥは、１９０７過程において、前記バッファに貯蔵されていた経路差（ｐａｔｈ ｌｏｓｓ ｄｉｆｆｅｒｅｎｃｅ）を参照して前記経路差が増加するか減少するかを調査する。この時、前記ＵＥは、前記経路差の変化の調査において、最近に前記バッファに貯蔵された経路差に加重値を高く割り当てる。
【０１６９】
１９０８過程において、前記ＵＥは、前記推定されたチャネル環境、前記アクティブセット内のノードＢの数、及び前記ノードＢから受信されたＤＬ＿ＤＣＨ上の専用パイロット信号の受信電力を考慮して、前記ＵＥと前記ＤＳＣＨを伝送するノードＢとの間のチャネル環境を推定し、前記推定されたチャネル環境情報を適切に量子化した後、前記量子化した値に対応する符号を選択する。
【０１７０】
１９０９過程において、前記ＵＥは、チャネル環境情報更新周期の間に、前記チャネル環境情報に対する符号をＵＬ＿ＤＰＣＣＨのＦＢＩフィールドを通して伝送する。１９１０過程において、前記ＵＥは、自分が前記ＳＨＯ領域外にあるか否かを判断する。前記ＳＨＯが完了していない場合、前記ＵＥは、１９０２過程に戻る。一方、前記ＳＨＯが完了したと判断される場合、前記ＵＥは、１９１１過程において、通常的なＤＳＣＨ送信電力制御を、つまり、ＤＳＣＨに連結されて割り当てられたＤＬ＿ＤＣＨの送信電力、及び前記ＤＳＣＨと前記ＤＬ＿ＤＣＨと間の送信電力の差を考慮して決定された電力オフセットのみを使用して遂行する。次に、前記ＵＴＲＡＮは、前記電力オフセット情報及び前記ＵＥから伝送されたＤＬ＿ＤＣＨのためのＴＰＣによって前記ＤＳＣＨの送信電力を決定する。
【０１７１】
図２０は、本発明の実施形態によって、前記ＵＴＲＡＮにおけるＵＥから受信されたチャネル環境情報に基づいてＤＳＣＨに適用する電力オフセットを計算する動作を示すフローチャートである。
【０１７２】
図２０を参照すると、前記ＵＴＲＡＮは、２００１過程において、前記ＵＥが前記チャネル環境情報を送信する場合の符号の種類を決定して前記ＵＥに知らせ、前記チャネル環境情報の受信回数を決定する。前記チャネル環境情報の受信回数が増加するにつれて、前記ＤＳＣＨのための電力オフセットの信頼度が高くなる。前記ＵＴＲＡＮが前記チャネル環境情報を受信する回数が少ない場合、前記電力オフセットの更新周期は短い。従って、前記ＵＴＲＡＮは、前記実際のチャネル環境変化に適応的に前記電力オフセットを設定することができる。
【０１７３】
２００２過程において、前記ＵＴＲＡＮは、前記ＵＥから符号化したチャネル環境情報を受信して復号化する。２００３過程において、前記ＵＴＲＡＮは、前記ＵＥから受信されたチャネル環境情報の数と２００１過程において設定された基準値を比較する。前記受信されたチャネル環境情報の数が前記基準値より小さい場合、前記ＵＴＲＡＮは、２００２過程を遂行し、前記受信されたチャネル環境情報の数が前記基準値より大きい場合、前記ＵＴＲＡＮは、２００４過程において、前記チャネル環境情報の基づいて前記ＤＳＣＨのための電力オフセット値を計算する。前記電力オフセット値は、前記チャネル環境の変化を調査するか、最近に受信したチャネル環境情報に加重値を高く割り当てることによって計算されることができる。
【０１７４】
２００４過程において計算された前記電力オフセット値は２００５過程において前記バッファに貯蔵される。前記ＵＴＲＡＮは、２００６過程において、前記ＵＥに伝送されるＤＳＣＨが存在するか否かを判断する。伝送されるＤＳＣＨが存在しない場合、前記ＵＴＲＡＮは、２００２過程に戻る。一方、伝送されるＤＳＣＨが存在する場合、前記ＵＴＲＡＮは、２００７過程において、前記電力オフセット値に基づいて前記ＤＳＣＨの送信電力を決定し、２００８過程において、前記決定された送信電力によって前記ＤＳＣＨを前記ＵＥに伝送する。２００９過程において、前記ＵＴＲＡＮは、前記ＵＥのＳＨＯが完了したか否かを調査する。前記ＳＨＯが完了していない場合、前記ＵＴＲＡＮは、２００２過程に戻る。前記ＳＨＯが完了した場合、前記ＵＴＲＡＮは、２０１０過程の２つの動作のいずれか１つを遂行する。前記ＵＥが他のノードＢに移動する時、前記ＵＴＲＡＮは、前記ＵＥから前記ＤＳＣＨを解除する。前記ＵＥが前記ＤＳＣＨを伝送するソースノードＢに戻る場合、前記ＵＴＲＡＮは、通常的なＤＳＣＨ電力制御を、つまり、前記ＤＳＣＨに連結されて割り当てられたＤＬ＿ＤＣＨの送信電力、及び前記ＤＳＣＨと前記ＤＬ＿ＤＣＨとの間の送信電力の差を考慮して決定された電力オフセットのみを使用し、前記ＵＥから伝送されるＤＬ＿ＤＣＨのためのＴＰＣによって前記送信電力を制御する方法を遂行する。
【０１７５】
前述の如く、本発明の詳細な説明では具体的な実施形態を参照して詳細に説明してきたが、本発明の範囲は前記実施形態によって限られるべきではなく、本発明の範囲内で様々な変形が可能であるということは、当該技術分野における通常の知識を持つ者には明らかである。
【０１７６】
【発明の効果】
前述してきたように、ＳＨＯ領域において、ＤＳＣＨを受信するＵＥは、前記ＤＳＣＨの送信電力の理想的な制御に使用するための電力オフセットを容易に設定する。さらに、前記電力オフセットの送信のために（ｎ，３）符号または（ｎ，４）符号を利用すると、伝送の信頼度を確保することができ、ハードウェアの複雑性を低減することができる。
【図面の簡単な説明】
【図１Ａ】ＤＳＣＨの構造を示す図である。
【図１Ｂ】ＤＬ＿ＤＣＨの構造を示す図である。
【図２】ＳＨＯ領域においてＤＳＣＨ電力制御の問題点を説明するためにアップリンク信号及びダウンリンク信号の流れを示す図である。
【図３】ＳＨＯ領域においてＳＳＤＴ基準のＤＳＣＨ電力制御の問題点を説明するためにアップリンク信号及びダウンリンク信号の流れを示す図である。
【図４】本発明によってＳＨＯ領域においてＤＳＣＨ電力制御を説明するためにアップリンク信号及びダウンリンク信号の流れを示す図である。
【図５Ａ】ＦＢＩの構造を示す図である。
【図５Ｂ】ＦＢＩが伝送されるＵＬ＿ＤＣＨの構造を示す図である。
【図６】本発明の実施形態によるＵＥ受信器のブロック図である。
【図７】本発明の実施形態によるＵＥ送信器のブロック図である。
【図８】本発明の実施形態によるノードＢのための受信器のブロック図である。
【図９】本発明の実施形態によるノードＢのための送信器のブロック図である。
【図１０】本発明の実施形態によって前記ＵＥにおいてＤＳＣＨのための相対的な電力オフセットを決定するアルゴリズムを示すフローチャートである。
【図１１】本発明の他の実施形態によって前記ＵＥにおいてＤＳＣＨの電力制御命令を直接伝送するアルゴリズムを示すフローチャートである。
【図１２】本発明の実施形態によって前記ＵＴＲＡＮにおいて前記ＵＥから相対的な電力オフセットまたはＤＳＣＨのためのＴＣＰを有する動作を示す制御フローチャートである。
【図１３】本発明の実施形態によって使用されるオフセットの概念を示すグラフである。
【図１４】本発明の実施形態によって（ｎ，３）符号及び（ｎ，４）符号を生成する符号器のブロック図である。
【図１５】本発明の実施形態によって（ｎ，３）符号及び（ｎ，４）符号を復号する復号器のブロック図である。
【図１６】本発明の実施形態によって（７，３）符号を生成するシンプレックス符号器のブロック図である。
【図１７】本発明の実施形態によって（１５，４）符号を生成するシンプレックス符号器のブロック図である。
【図１８】本発明の実施形態によって（１５，４）符号及び（７，３）符号を生成するシンプレックス符号器のブロック図である。
【図１９】本発明の第３実施形態によってＤＳＣＨのための電力オフセットを決定に使用するためにチャネル状況を推定して前記ＵＴＲＡＮに前記チャネル状況情報を報告するアルゴリズムを示すフローチャートである。
【図２０】本発明の第３実施形態によって前記ＵＴＲＡＮにおいて前記ＵＥから受信された前記チャネル状況情報に基づいてＤＳＣＨのために電力オフセットを計算する動作を示すフローチャートである。
【符号の説明】
４０１　ノードＢ１
４０３　ノードＢ２
４１１　ＵＥ
５０１　ＦＢＩフィールドのＳフィールド
５０３　ＦＢＩフィールドのＤフィールド
５１１　ＵＬ＿ＤＣＨの１つのＵＬ＿ＤＰＣＣＨフレーム
５２１　Ｐｉｌｏｔ
５２２　ＴＦＣＩ
５２３　ＦＢＩ
５２４　ＴＰＣ
６０１　アンテナ
６０２　ＲＦモジュール
６０３　復調器
６１０，６３０　デスクランブラー
６１１，６３１　逆拡散器
６１２，６３２　ＣＰＩＣＨ推定器
６１３，６３３　位相補償器
６１４，６３４　逆多重化器
６１５，６３５，６３８　デインターリーバ
６１６，６３６，６３９　復号器
６１７，６３７　専用チャネルパイロット推定器
６５０　ダウンリンクＴＰＣ命令生成器
７０１　使用者データ
７０２　符号器
７０３　インターリーバ
７０４　拡散器
７０５　合計器
７０６　乗算器
７０７　変調器
７０８　ＲＦモジュール
７１０　アンテナ
７１１　ダウンリンクＴＰＣ命令生成器
７１４　パイロット
７１５　ＴＦＣＩ
７１７　拡散器
７２０，７２１　乗算器
８０１　アンテナ
８０２　ＲＦモジュール
８０３　復調器
８０４　デスクランブラ
８０５　逆拡散器
８０６　逆多重化器
８０７　専用チャネルパイロット推定器
８０８　アップリンクＴＰＣ命令生成器
８０９　ダウンリンクチャネル送信電力制御器
８１０　位相補償器
８１１　デインターリーバ
８１２　復号器
９０１，９１１　符号器
９０２，９１２　インターリーバ
９０３　パイロット
９０４　ＴＦＣＩ
９０５　多重化器
９０６　アップリンクＴＰＣ命令生成器
９０７，９１３　拡散器
９１５　ダウンリンク共通チャネル
９１７　他の使用者の専用チャネル
９２０　合計器
９２１，９３０，９３２，９３３　乗算器
９２２　変調器
９２３　ＲＦモジュール
９２５　アンテナ
１４０１　シンプレックス符号器
１４０２　インターリーバ
１４０３　反復器
１４０４　制御器
１５０１　累積器
１５０２　制御器
１５０３　デインターリーバ
１５０４　ゼロ挿入器
１５０５　逆高速アダマール変換器（ＩＦＨＴ）
１６０１　１次リードマラーベーシス符号発生器
１６０５　合計器
１６１１、１６１２、１６１３　乗算器
１７０１　１次リードマラーベーシス符号発生器
１７０５　合計器
１７１１乃至１７１４　乗算器
１８０１　１次リードマラーベーシス符号発生器
１８０３　スイッチ
１８０５　合計器
１８１１乃至１８１４　乗算器
【国際公開パンフレット】
2004511176.tif 000019
2004511176.tif 000020
2004511176.tif 000021
2004511176.tif 000022
2004511176.tif 000023
2004511176.tif 000024
2004511176.tif 000025
2004511176.tif 000026
2004511176.tif 000027
2004511176.tif 000028
2004511176.tif 000029
2004511176.tif 000030
2004511176.tif 000031
2004511176.tif 000032
2004511176.tif 000033
2004511176.tif 000034
2004511176.tif 000035
2004511176.tif 000036
2004511176.tif 000037
2004511176.tif 000038
2004511176.tif 000039
2004511176.tif 000040
2004511176.tif 000041
2004511176.tif 000042
2004511176.tif 000043
2004511176.tif 000044
2004511176.tif 000045
2004511176.tif 000046
2004511176.tif 000047
2004511176.tif 000048
2004511176.tif 000049
2004511176.tif 000050
2004511176.tif 000051
2004511176.tif 000052
2004511176.tif 000053
2004511176.tif 000054
2004511176.tif 000055
2004511176.tif 000056
2004511176.tif 000057
2004511176.tif 000058
2004511176.tif 000059
2004511176.tif 000060
2004511176.tif 000061
2004511176.tif 000062
2004511176.tif 000063
2004511176.tif 000064
2004511176.tif 000065
2004511176.tif 000066
2004511176.tif 000067
2004511176.tif 000068
2004511176.tif 000069
2004511176.tif 000070
2004511176.tif 000071
2004511176.tif 000072
2004511176.tif 000073
2004511176.tif 000074
2004511176.tif 000075
2004511176.tif 000076
2004511176.tif 000077
2004511176.tif 000078
2004511176.tif 000079
2004511176.tif 000080
2004511176.tif 000081
2004511176.tif 000082
2004511176.tif 000083
2004511176.tif 000084
2004511176.tif 000085
2004511176.tif 000086
2004511176.tif 000087
2004511176.tif 000088
2004511176.tif 000089
2004511176.tif 000090
2004511176.tif 000091
2004511176.tif 000092
【国際調査報告】
2004511176.tif 000093